(57)【要約】地図情報のデータフォーマットに拘わらず地図データを更新できる車載情報端末および地図情報提供装置ならびにこれらを用いた地図情報提供システムを提供する。地図情報提供システムは、地図情報提供装置１と車載情報端末３とから成り、地図情報提供装置１は、新設された道路を表す座標点列データによって表される道路を、車載情報端末から取得された配信要求情報に従って、選択し、この選択された道路の座標点列データを含む配信道路情報を車載情報端末へ配信し、車載情報端末は、座標点列データを含む配信道路情報を地図情報提供装置から取得し、この取得した配信道路情報に含まれる座標点列データに基づき、地図情報記憶手段に記憶されている地図情報によって表される道路網に新たな道路を付加するための道路データを、該地図情報と少なくともその一部を同じフォーマットで生成し、この道路データと地図情報とから新たな地図情報を生成する。
2008044373.tif 000002
【特許請求の範囲】
【請求項１】
地図情報を記憶する地図情報記憶手段と、
地理的位置を示す座標点の並びから成る座標点列データを含む配信道路情報を外部から取得する配信情報取得手段と、
前記配信情報取得手段によって取得された配信道路情報に含まれる座標点列データに基づき、前記地図情報記憶手段に記憶されている地図情報によって表される道路網に新たな道路を付加するための道路データを、該地図情報と少なくともその一部を同じフォーマットで生成する道路データ生成手段と、
前記道路データ生成手段で生成された道路データと前記地図情報記憶手段に記憶されている地図情報とから新たな地図情報を生成する地図情報更新手段
とを備えた車載情報端末。
【請求項２】
配信情報取得手段によって取得された配信道路情報を記憶する配信道路情報記憶手段を備え、
道路データ生成手段は、前記配信道路情報記憶手段に記憶されている配信道路情報に含まれる座標点列データに基づき、地図情報記憶手段に記憶されている地図情報によって表される道路網に新たな道路を付加するための道路データを、該地図情報と少なくともその一部を同じフォーマットで生成する
ことを特徴とする請求項１記載の車載情報端末。
【請求項３】
配信情報取得手段によって取得された配信道路情報によって示される道路が、地図情報記憶手段に記憶されていない場合に、該道路は未登録であると判定し、記憶されている場合に該道路は登録されていると判定する登録判定手段を備え、
道路データ生成手段は、配信道路情報によって示される道路が前記登録判定手段により未登録と判定された場合にのみ、前記配信情報取得手段によって取得された配信道路情報に含まれる座標点列データに基づき、道路データを、該地図情報と少なくともその一部を同じフォーマットで生成する
ことを特徴とする請求項１記載の車載情報端末。
【請求項４】
配信情報取得手段によって取得された配信道路情報によって示される道路を走行したか否かを判定する走行判定手段を備え、
道路データ生成手段は、前記走行判定手段によって走行したことが判定された場合に、前記配信情報取得手段によって取得された配信道路情報に含まれる座標点列データに基づき、道路データを、該地図情報と少なくともその一部を同じフォーマットで生成する
ことを特徴とする請求項１記載の車載情報端末。
【請求項５】
道路データ生成手段によって生成された道路データを記憶する道路データ記憶手段を備え、
地図情報更新手段は、前記道路データ記憶手段に記憶された道路データと地図情報記憶手段に記憶されている地図情報とを合成することにより新たな地図情報を生成する
ことを特徴とする請求項１記載の車載情報端末。
【請求項６】
道路データ生成手段によって生成された道路データを記憶する道路データ記憶手段と、
配信情報取得手段によって取得された配信道路情報によって示される道路が、地図情報記憶手段に記憶されていない場合に、該道路は未登録であると判定し、記憶されている場合に該道路は登録されている判定する登録判定手段と、
前記配信情報取得手段によって取得された配信道路情報によって示される道路を走行したか否かを判定する走行判定手段
とを備えたことを特徴とする請求項１記載の車載情報端末。
【請求項７】
配信情報取得手段により取得した配信道路情報によって示される道路が、登録判定手段により未登録と判定された場合にのみ、該配信道路情報は配信道路情報記憶手段に記憶される
ことを特徴とする請求項６記載の車載情報端末。
【請求項８】
道路データ生成手段は、配信情報取得手段に記憶された配信道路情報によって示される道路を走行したと走行判定手段によって判定されたときに、該配信道路情報の座標点列データから道路データを生成する
ことを特徴とする請求項６記載の車載情報端末。
【請求項９】
道路データ生成手段によって道路データが生成された場合に、配信道路情報記憶手段に記憶された配信道路情報から該生成された道路データに対応する配信道路情報が削除される
ことを特徴とする請求項６記載の車載情報端末。
【請求項１０】
配信情報取得手段によって取得された配信道路情報によって示される道路を走行したか否かを判定する走行判定手段を備え、
前記走行判定手段によって配信情報取得手段により取得された配信道路情報によって表される道路を走行したことが判定された場合は、道路データ生成手段によって、前記配信情報取得手段によって取得された配信道路情報に含まれる座標点列データに基づき、道路データが、該地図情報と少なくともその一部を同じフォーマットで生成され、走行していないことが判定された場合は、前記配信情報取得手段によって取得された配信道路情報は、配信道路情報記憶手段に記憶される
ことを特徴とする請求項２記載の車載情報端末。
【請求項１１】
配信情報取得手段により取得された配信道路情報または配信道路情報記憶手段に記憶されている配信道路情報によって示される道路を提示する道路提示手段と、
前記道路提示手段により提示された道路の中から所望の道路を選択する道路選択手段とを備え、
道路データ生成手段は、前記道路選択手段により選択された道路を表す配信道路情報に基づき道路データを生成する
ことを特徴とする請求項２記載の車載情報端末。
【請求項１２】
配信情報取得手段は、座標点列データの精度を表す精度情報を含む配信道路情報を取得する
ことを特徴とする請求項１記載の車載情報端末。
【請求項１３】
配信情報取得手段は、道路を識別するための道路識別情報を含む配信道路情報を取得し、
登録判定手段は、配信道路情報によって示される道路の道路識別情報が、記憶手段に記憶されている道路の道路識別情報と一致しない場合に、該道路は未登録であると判定し、一致する場合に該道路は登録されていると判定する
ことを特徴とする請求項１記載の車載情報端末。
【請求項１４】
配信情報取得手段は、道路を識別するための道路識別情報と道路属性情報とを含む配信道路情報を取得し、
前記配信情報取得手段により取得された配信道路情報に含まれる道路識別情報によって示される道路の道路属性が、配信情報取得手段により取得した配信道路情報の道路属性情報に従って変更される
ことを特徴とする請求項１記載の車載情報端末。
【請求項１５】
現在位置を表す現在位置データ、所望の道路が含まれるエリアを表すエリアデータ、所望の範囲を示すために指定する道路を表す道路指定データ、所望しない道路を表す不要道路指定データ、目的地を表す目的地データおよび所望の期間を表す期間データの少なくとも１つを含む配信要求情報を外部へ送信する配信情報要求手段
を備えたことを特徴とする請求項１記載の車載情報端末。
【請求項１６】
配信情報要求手段は、現在位置を表す現在位置データおよび目的地の位置を表す目的地データを含む配信要求情報を外部へ送信する配信情報要求手段
を備えたことを特徴とする請求項１記載の車載情報端末。
【請求項１７】
外部から配信される道路の一覧を示す配信道路リストを取得する配信道路リスト取得手段と、
前記配信道路リスト取得手段で取得された配信道路リストの中から所望の道路を選択するリスティング道路選択手段と、
前記リスティング道路選択手段により選択された道路の配信道路情報の取得を外部に要求する道路要求手段
とを備えたことを特徴とする請求項１記載の車載情報端末。
【請求項１８】
外部から配信される道路を含むエリアの一覧を示す配信エリアリストを取得する配信エリアリスト取得手段と、
前記配信エリアリスト取得手段で取得された配信エリアリストの中から所望のエリアを選択するリスティングエリア選択手段と、
前記リスティングエリア選択手段により選択されたエリア内の道路の配信道路情報の取得を外部に要求するエリア要求手段
とを備えたことを特徴とする請求項１記載の車載情報端末。
【請求項１９】
走行状態を表す走行軌跡データに基づき、道路データ記憶手段に記憶されている道路データを修正する道路データ修正手段
を備えたことを特徴とする請求項６記載の車載情報端末。
【請求項２０】
記憶手段に記憶されていない道路を走行したときの走行軌跡に基づいて、記憶手段に記憶されている地図情報を更新する自立地図更新手段
を備えたことを特徴とする請求項１記載の車載情報端末。
【請求項２１】
外部から送信されてきた現在位置を表す現在位置データ、所望の道路が含まれるエリアを表すエリアデータまたは所望の範囲を示すために指定する道路を表す道路指定データのいずれかを含む配信要求情報を取得する配信要求情報取得手段と、
新設された道路を表す座標点列データを記憶する配信道路記憶手段と、
前記配信道路記憶手段に記憶されている座標点列データによって表される道路を、前記配信要求情報取得手段で取得された配信要求情報に従って、現在位置データによって示される位置の周辺の道路、エリアデータによって示されるエリアに含まれる道路または道路指定データによって示される道路の周辺の道路のいずれかを選択し、該選択した道路の座標点列データを取得する配信道路選択手段と、
前記配信道路選択手段により選択された道路の座標点列データを含む配信道路情報を外部へ配信する道路情報配信手段
とを備えた地図情報提供装置。
【請求項２２】
配信道路記憶手段は、新設された道路を表す座標点列データと、道路を識別するための道路識別情報とを記憶し、
道路情報配信手段は、配信道路選択手段により選択された道路の座標点列データと、道路識別情報とを含む配信道路情報を外部へ配信する
ことを特徴とする請求項２１記載の地図情報提供装置。
【請求項２３】
配信道路選択手段は、配信要求情報取得手段により取得された配信要求情報に含まれる道路識別情報により所望しない道路を表す不要道路指定データが指定されている場合は、該不要道路指定データによって示される道路を選択しない
ことを特徴とする請求項２１記載の地図情報提供装置。
【請求項２４】
配信道路記憶手段に記憶されている道路の座標点列データを含む配信道路情報が外部へ配信されたか否かを配信先毎に記憶する配信済み道路記憶手段を備え、
配信道路選択手段は、配信済み道路記憶手段の記憶内容に従って、配信道路情報を配信していない道路のなかから配信道路情報を配信する道路を選択する
ことを特徴とする請求項２１記載の地図情報提供装置。
【請求項２５】
地図情報を記憶する提供側地図情報記憶手段と、
前記提供側地図情報記憶手段に記憶された地図情報を用いて、配信要求情報取得手段により取得された配信要求情報に含まれる現在位置データによって示される出発地から前記配信要求情報取得手段により取得された配信要求情報に含まれる目的地データによって示される目的地に至るのに好適な経路を探索する経路探索手段とを備え、
配信道路選択手段は、配信道路記憶手段に記憶されている道路から、前記経路探索手段によて探索された経路の周辺にある道路を選択する
ことを特徴とする請求項２１記載の地図情報提供装置。
【請求項２６】
配信道路選択手段により選択された道路の一覧を表す配信道路リストを外部に提供する配信道路リスト提供手段
を備えたことを特徴とする請求項２１記載の地図情報提供装置。
【請求項２７】
配信道路選択手段により選択された道路が含まれるエリアの一覧を表す配信エリアリストを外部に提供する配信エリアリスト提供手段
を備えたことを特徴とする請求項２１記載の地図情報提供装置。
【請求項２８】
地図情報提供装置と車載情報端末とから成る地図情報提供システムであって、
前記地図情報提供装置は、
前記車載情報端末から送信されてきた現在位置を表す現在位置データ、所望の道路が含まれるエリアを表すエリアデータまたは所望の範囲を示すために指定する道路を表す道路指定データのいずれかを含む配信要求情報を取得する配信要求情報取得手段と、
新設された道路を表す座標点列データを記憶する配信道路記憶手段と、
前記配信道路記憶手段に記憶されている座標点列データによって表される道路を、前記配信要求情報取得手段で取得された配信要求情報に従って、現在位置データによって示される位置の周辺の道路、エリアデータによって示されるエリアに含まれる道路または道路指定データによって示される道路の周辺の道路のいずれかを選択し、該選択した道路の座標点列データを取得する配信道路選択手段と、
前記配信道路選択手段により選択された道路の座標点列データを含む配信道路情報を前記車載情報端末へ配信する道路情報配信手段
とを備え、
前記車載情報端末は、
地図情報を記憶する地図情報記憶手段と、
地理的位置を示す座標点の並びから成る座標点列データを含む配信道路情報を地図情報提供装置から取得する配信情報取得手段と、
前記配信情報取得手段によって取得された配信道路情報に含まれる座標点列データに基づき、前記地図情報記憶手段に記憶されている地図情報によって表される道路網に新たな道路を付加するための道路データを、該地図情報と少なくともその一部を同じフォーマットで生成する道路データ生成手段と、
前記道路データ生成手段で生成された道路データと前記地図情報記憶手段に記憶されている地図情報とから新たな地図情報を生成する地図情報更新手段
とを備えたことを特徴とする地図情報提供システム。
【発明の詳細な説明】
【技術分野】
【０００１】
この発明は、車載情報端末および地図情報提供装置ならびにこれらを用いた地図情報提供システムに関し、特に新規道路を検出して地図データを更新する技術に関する。
【背景技術】
【０００２】
従来、地図データに存在しない道路を自動的に検出して必要なタイミングで更新し、共有の地図データとして使用者に提供する地図更新方法が知られている（例えば、特許文献１参照）。この特許文献１に開示された技術では、ナビゲーション装置を搭載した車両が、そのナビゲーション装置が保有している地図情報に存在しない新たな道路を走行したときに、車両の走行軌跡を地図情報提供装置へ送信し、地図情報提供装置では、自己が保有している地図情報に、その走行軌跡に相当する道路が見つかれば、その地図情報をナビゲーション装置へ送信する。ナビゲーション装置では、それまで保有していた地図情報を地図情報提供装置から受信した地図情報に更新することにより、新たな道路を含む地図情報が得られる。【０００３】
また、特許文献２は、直近に更新された地図データをダウンリンクによりナビゲーション装置で表示できるよう構成した動的地図データ更新システムを開示している。この特許文献２に開示された技術では、ナビゲーション装置を搭載した車両が、そのナビゲーション装置の地図データファイルに存在しない新たな道路を走行したことを、マップマッチングが外れたことにより検出し、その走行軌跡を地図情報提供装置へ送信する。地図情報提供装置では、受信した走行軌跡に該当する経路情報を蓄積された経路情報の中から探し、見つけた経路情報をナビゲーション装置へ返送する。ナビゲーション装置は返送されてきた経路情報を新たな道路として表示する。【０００４】
【特許文献１】特開２００１−１９４１６３号公報
【特許文献２】特開２０００−２５８１７６号公報
【０００５】
しかしながら、上述した特許文献１に開示された技術では、ナビゲーション装置は、地図情報提供装置から地図情報をダウンロードして使用するため、ナビゲーション装置が保有する地図情報のデータフォーマットが、地図情報提供装置の地図情報と異なる場合は、地図情報提供装置からダウンロードした地図情報を使用できず、地図情報の更新ができないという問題がある。【０００６】
また、上述した特許文献２に開示されたナビゲーション装置では、地図情報提供装置から返送された経路情報を用いて地図データファイルを更新することができないため、新たな道路を地図データファイルに追加できないという問題がある。また、マップマッチングを外れたことによって車両が地図データファイルに存在しない新たな道路を走行したことを検出しているが、マップマッチングに使用する地図データファイルは上述したように更新されないため、地図データファイルにない同じ道路を走行する毎に、同じ経路情報を地図情報提供装置から取得するという問題がある。【０００７】
この発明は、上述した問題を解消するためになされたものであり、その課題は、地図情報のデータフォーマットに拘わらず地図データを更新できる車載情報端末および地図情報提供装置ならびにこれらを用いた地図情報提供システムを提供することにある。
【発明の開示】
【０００８】
この発明に係る車載情報端末は、上記課題を解決するために、地図情報を記憶する地図情報記憶手段と、地理的位置を示す座標点の並びから成る座標点列データを含む配信道路情報を外部から取得する配信情報取得手段と、配信情報取得手段によって取得された配信道路情報に含まれる座標点列データに基づき、地図情報記憶手段に記憶されている地図情報によって表される道路網に新たな道路を付加するための道路データを、該地図情報と少なくともその一部を同じフォーマットで生成する道路データ生成手段と、道路データ生成手段で生成された道路データと地図情報記憶手段に記憶されている地図情報とから新たな地図情報を生成する地図情報更新手段とを備えている。
【０００９】
この発明に係る地図情報提供装置は、外部から送信されてきた現在位置を表す現在位置データ、所望の道路が含まれるエリアを表すエリアデータまたは所望の範囲を示すために指定する道路を表す道路指定データのいずれかを含む配信要求情報を取得する配信要求情報取得手段と、新設された道路を表す座標点列データを記憶する配信道路記憶手段と、配信道路記憶手段に記憶されている座標点列データによって表される道路を、配信要求情報取得手段で取得された配信要求情報に従って、現在位置データによって示される位置の周辺の道路、エリアデータによって示されるエリアに含まれる道路または道路指定データによって示される道路の周辺の道路のいずれかを選択し、該選択した道路の座標点列データを取得する配信道路選択手段と、配信道路選択手段により選択された道路の座標点列データを含む配信道路情報を外部へ配信する道路情報配信手段とを備えている。
【００１０】
この発明に係る地図情報提供システムは、上述した地図情報提供装置と車載情報端末とを組み合わせて構成されている。
【００１１】
この発明によれば、地図情報提供装置は、道路情報に適用されているデータフォーマットに依存しない、単純な座標点の並びから成る座標点列データを配信し、車載情報端末は、自己が保有する道路情報のデータフォーマットに合わせて、受信した座標点列データから道路データを生成し、地図情報に反映するように構成したので、地図情報のデータフォーマットに拘わらず地図データを更新できる車載情報端末および地図情報提供装置ならびにこれらを用いた地図情報提供システムを提供できる。
【図面の簡単な説明】
【００１２】
【図１】この発明の実施の形態１に係る地図情報提供システムの構成を示すブロック図である。
【図２】この発明の実施の形態１に係る地図情報提供装置の構成を示すブロック図である。
【図３】この発明の実施の形態１に係る車載情報端末の構成を示すブロック図である。
【図４】この発明の実施の形態１に係る地図情報提供システムで処理対象とされる新設された道路の例を示す図である。
【図５】この発明の実施の形態１に係る地図情報提供装置の動作を示すフローチャートである。
【図６】この発明の実施の形態１に係る車載情報端末の動作を示すフローチャートである。
【図７】この発明の実施の形態２に係る車載情報端末の動作を示すフローチャートである。
【図８】この発明の実施の形態３に係る車載情報端末の動作を示すフローチャートである。
【図９】この発明の実施の形態４に係る車載情報端末の動作を示すフローチャートである。
【図１０】この発明の実施の形態５に係る地図情報提供装置の構成を示すブロック図である。
【図１１】この発明の実施の形態５に係る地図情報提供装置の動作を示すフローチャートである。
【図１２】この発明の実施の形態６に係る車載情報端末の動作を示すフローチャートである。
【図１３】この発明の実施の形態７に係る車載情報端末の動作を示すフローチャートである。
【図１４】この発明の実施の形態８に係る情報提供装置の構成を示すブロック図である。
【図１５】この発明の各実施の形態で使用される車載情報端末の記憶装置の記憶領域を示す図である。
【図１６】この発明の実施の形態４に係る車載情報端末の動作を説明するための説明図である。
【図１７】この発明の実施の形態９に係る車載情報端末の動作を示すフローチャートである。
【発明を実施するための最良の形態】
【００１３】
以下、この発明をより詳細に説明するために、この発明を実施するための最良の形態について、添付の図面に従って説明する。なお、以下の各実施の形態において、同一または相当する構成部分には同一の符号を付して説明する。
実施の形態１．
（１−１）地図情報提供システムの構成
図１は、この発明の実施の形態１に係る地図情報提供システムの構成を示すブロック図である。この地図情報提供システムは、地図情報提供装置１、車載情報端末３およびこれらを接続する通信網２から構成されている。なお、１台の地図情報提供装置１には複数台の車載情報端末３が接続されるが、ここでは説明を簡単にするために、１台の地図情報提供装置１に１台の車載情報端末が接続されているものとして説明する。【００１４】
地図情報提供装置１は、地理的位置を示す座標点の並びによって道路を表した座標点列データを、通信網２を介して、車載情報端末３に配信する。この地図情報提供装置１の詳細は後述する。車載情報端末３は、車両に搭載され、地図情報提供装置１から配信される座標点列データを、通信網２を介して受信し、自己の内部に保有する地図情報を更新する。この車載情報端末の詳細は後述する。なお、地図情報提供装置１と車載情報端末３との間の通信はすべて通信網２を介して行われるので、以下では、これらの間の通信が通信網２を経由する旨の記載は省略する。【００１５】
（１−２）地図情報提供装置１の構成
次に、地図情報提供装置の詳細を説明する。図２は、地図情報提供装置１の構成を示すブロック図である。地図情報提供装置１は、通信装置１０、配信道路記憶装置１１、配信道路入力装置１２およびサーバ１３から構成されている。【００１６】
通信装置１０は、車載情報端末３と当該地図情報提供装置１（より詳しくはサーバ１３）との間で行われる通信を制御する。配信道路記憶装置１１は、この発明の配信道路記憶手段に対応し、車載情報端末３に配信するための道路に関する情報を記憶する。この配信道路記憶装置１１に対する情報の書き込みおよび読み出しは、サーバ１３によって行われる。【００１７】
配信道路入力装置１２は、例えば新たに開通した道路などといった、車載情報端末３が保有していない可能性がある道路および道路属性が変化した道路に関する情報（以下、「配信道路元情報」という）を入力するために使用される。配信道路元情報の詳細は、後述する。この配信道路入力装置１２から入力された配信道路元情報は、サーバ１３に送られる。【００１８】
サーバ１３は、配信道路入力装置１２から送られてくる配信道路元情報を受け取って配信道路記憶装置１１に記憶する。また、サーバ１３は、車載情報端末３から通信装置１０を介して送信されてくる配信要求を受け取り、その配信要求に応じて配信道路記憶装置１１から配信道路元情報を読み出して配信道路情報を生成し、その生成した配信道路情報を通信装置１０を介して車載情報端末３に送信する。【００１９】
（１−３）車載情報端末３の構成
次に、車載情報端末３の詳細を説明する。図３は、車載情報端末３の構成を示すブロック図である。この車載情報端末３は、入力装置２０、位置検出装置２１、記憶装置２２、通信装置２３、プロセッサ２４および出力装置２５から構成されている。【００２０】
入力装置２０は、使用者の操作または指示に従って指示信号を生成し、プロセッサ２４に送る。この入力装置２０は、具体的には、使用者の音声を認識して音声に基づく指示信号を生成する音声認識装置、使用者の手動操作により指示信号を生成するボタン、その他の入力装置の少なくとも１つから構成することができる。位置検出装置２１は、例えばＧＰＳ（Global Positioning System）受信機、車速センサおよび角速度センサを用いて、当該車載情報端末３が搭載されている車両の現在位置を検出する。この位置検出装置２１で検出された現在位置は、位置情報としてプロセッサ２４に送られる。【００２１】
記憶装置２２は、この発明の記憶手段に対応し、例えば、記憶媒体としてハードディスクを用いたハードディスクドライブにより構成されており、地図情報を記憶する。この記憶装置２２に対する地図情報の書き込みおよび読み出しはプロセッサ２４によって行われる。この記憶装置２２は、図１５に示すように、地図情報記憶領域２２ａ、走行軌跡データ記憶領域２２ｂ、配信道路情報記憶領域２２ｃ、道路データ記憶領域２２ｄ、道路識別情報・道路データ対応記憶領域２２ｅおよび道路識別情報対応情報記憶領域２２ｆを有し、地図情報は、地図情報記憶領域２２ａに記憶される。なお、他の記憶領域に記憶されるデータについては、以下において出現する都度説明する。【００２２】
通信装置２３は、地図情報提供装置１と当該車載情報端末３（より詳しくはプロセッサ２４）との間で行われる通信を制御する。例えば、通信装置２３は、地図情報提供装置１から送信されてくる配信道路情報を受信してプロセッサ２４に送る。プロセッサ２４は、地図情報提供装置１から通信装置２３を介して受け取った配信道路情報を用いて、記憶装置２２に格納されている地図情報を更新するとともに、ナビゲーション機能を実現するためのナビゲーション処理を並行して実行する。【００２３】
ナビゲーション処理には、以下の処理が含まれる。
（２１）車両の走行に伴って位置検出装置２１で検出された位置の座標点列から成る走行軌跡データを生成し、記憶装置２２の走行軌跡データ記憶領域２２ｂへ格納する処理。
（２２）走行軌跡データと記憶装置２２の地図情報とを比較照合することにより現在位置を推定するマップマッチング処理。
（２３）記憶装置２２に記憶されている地図情報に基づいて現在位置の周辺の地図を表示する表示処理。
（２４）記憶装置２２に記憶されている地図情報を用いて出発地から目的地までの経路を算出する経路探索処理。
（２５）経路探索により得られた好適な経路の候補を地図とともに、出力装置２５を構成する表示装置の画面に表示する経路表示処理。
（２６）経路探索により得られた好適な経路に従って出発地から目的地までの案内を行う経路誘導処理。【００２４】
出力装置２５は、プロセッサ２４で処理することによって得られた情報を、使用者に提示する。この出力装置２５は、具体的には、地図、現在位置、経路、案内メッセージ等を表示する表示装置および使用者に音声で指示または案内を行う音声発生装置（いずれも図示は省略する）から構成することができる。【００２５】
ここで、地図情報について説明する。地図情報は、車載情報端末３に定められたデータフォーマットで記憶装置２２に記憶される。地図情報のデータフォーマットは、車載情報端末３によって異なる場合がある。記憶装置２２に記憶された地図情報は、道路情報、背景情報、名称情報、経路誘導情報等から構成されている。道路情報は、道路の名称、幅員、車線数、通行規制等といった道路属性、道路の形状、道路間の接続関係、道路形状の精度等を表すデータを含む。背景情報は、河川、海等の地図背景を表示するためのデータを含む。名称情報は、地名等の名称を文字で表示するためのデータを含む。経路誘導情報は、交差点等における経路案内を行うためのデータを含む。【００２６】
（１−４）地図情報提供装置１の動作
次に、上記のように構成される地図情報提供装置１の動作を説明する。まず、新設された道路の例を、図４を参照しながら説明する。図４において、Ｒ１〜Ｒ６は既存の道路であり、道路Ｒ１、Ｒ２およびＲ３の交差点と道路Ｒ４、Ｒ５およびＲ６の交差点とを結ぶ道路Ｒ７と、道路Ｒ５の一端（Ｐ１０）と道路Ｒ６の一端（Ｐ１３）とを結ぶ道路Ｒ８とが新設された道路である。Ｐ１〜Ｐ９は、道路Ｒ７の中心線を折れ線で近似したときの折れ線の頂点である。Ｐ１０〜Ｐ１３は、道路Ｒ８の中心線を折れ線で近似したときの折れ線の頂点である。【００２７】
次に、地図情報提供装置１の動作を、配信道路情報を配信する配信処理を中心に、図５に示すフローチャートを参照しながら説明する。なお、この配信道路情報の配信処理は、主としてサーバ１３によって実行される処理である。【００２８】
配信道路情報の配信処理では、まず、配信道路入力装置１２から配信道路元情報の入力があるかどうかが調べられる（ステップＳＴ１００）。ここで、配信道路入力装置１２から入力される配信道路元情報には、道路を識別するための「道路識別情報」、当該道路が新設されたものであるか道路属性が変化したものであるを示す「状態情報」、道路の形状を表す「座標点列データ」、道路属性を表す「道路属性情報」、座標点列データの座標点の精度を表す「精度情報」、道路の開通時期を表す「開通時期情報」、道路属性が変化した時期を示す「道路属性変化時期情報」等が含まれる。【００２９】
なお、道路属性情報において、道路の通行規制を表すデータは、一方通行規制が座標点列の並び順序と同一方向か逆方向かを示し、当該道路に対する進入規制または脱出規制は、規制されている進入または脱出道路の方位を示す。なお、方位の代わりに、進入または脱出道路の進入または脱出側の道路形状を表す座標点列を用いることもできる。【００３０】
道路の形状を表す座標点列データは、例えば、図４に示す道路Ｒ７の場合は、道路Ｒ７の頂点Ｐ１〜Ｐ９の緯度および経度を表す座標点を、Ｐ１からＰ９へ向かう順に並べたものである。Ｐ９からＰ１へ向かう方向への通行が規制される場合は、一方通行規制は、座標点列の並び順序の逆方向として表され、道路Ｒ２から道路Ｒ７への進入規制がある場合は、道路Ｒ７へのＰ１側の進入規制として、道路Ｒ２の方位が示される。図４において、道路Ｒ７およびＲ８が新設されたとき、配信道路入力装置１２から道路Ｒ７およびＲ８の配信道路元情報が入力される。【００３１】
上記ステップＳＴ１００において、配信道路元情報の入力があることが判断されると、入力された配信道路元情報が配信道路記憶装置１１に記憶される（ステップＳＴ１１０）。すなわち、サーバ１３は、配信道路入力装置１２から送られてくる配信道路元情報を、配信道路記憶装置１１に記憶する。例えば、図４に示すように、道路Ｒ７およびＲ８が新設されたとき、配信道路記憶装置１１に道路Ｒ７およびＲ８の配信道路元情報が記憶される。上記ステップＳＴ１００において、配信道路元情報の入力がないことが判断されると、ステップＳＴ１１０の処理はスキップされる。【００３２】
次いで、配信要求情報があるかどうかが調べられる（ステップＳＴ１２０）。すなわち、サーバ１３は、通信装置１０が車載情報端末３から配信要求情報を受信しているかどうかを調べる。このステップＳＴ１２０において、配信要求情報がないことが判断されると、シーケンスはステップＳＴ１００に戻って上述した処理が繰り返され、配信道路情報が配信道路記憶装置１１に蓄積される。【００３３】
一方、ステップＳＴ１２０において、配信要求情報があることが判断されると、次いで、車載情報端末３を識別するための車載情報端末識別情報が取得される（ステップＳＴ１３０）。すなわち、サーバ１３は、通信装置１０から取得した配信要求情報に含まれる車載情報端末識別情報を取得する。この発明の配信要求情報取得手段は、このステップＳＴ１３０の処理により実現されている。【００３４】
次いで、配信道路情報が生成される（ステップＳＴ１４０）。すなわち、サーバ１３は、配信道路記憶装置１１に記憶されている配信道路元情報から座標点列データ、道路属性情報および精度情報を取り出し、この取り出した座標点列データ、道路属性情報および精度情報にヘッダを付加して配信道路情報を生成する。ヘッダは、配信道路情報を管理するためのデータである。例えば、図４に示す新設された道路Ｒ７の配信道路情報における座標点列データは、道路Ｒ７の頂点Ｐ１〜Ｐ９の緯度および経度を表す座標点の並びから構成されている。【００３５】
次いで、配信道路情報が配信される（ステップＳＴ１５０）。すなわち、サーバ１３は、ステップＳＴ１４０で生成した配信道路情報を通信装置１０に送ることにより、ステップＳＴ１３０で取得した車載情報端末識別情報に該当する車載情報端末３に送信する。その後、シーケンスはステップＳＴ１００へ戻り、上述した処理が繰り返される。この発明の道路情報配信手段は、上述したステップＳＴ１４０およびステップＳＴ１５０の処理によって実現されている。【００３６】
以上説明した配信道路情報を配信する配信処理により、例えば図４に示す新設された道路Ｒ７およびＲ８に対し、道路Ｒ７の頂点Ｐ１〜Ｐ９の緯度および経度を表す座標点の並びから成る座標点列データ、および、道路Ｒ８の頂点Ｐ１０〜Ｐ１３の緯度および経度を表す座標点の並びから成る座標点列データを含む配信道路情報が車載情報端末３に提供される。【００３７】
（１−５）車載情報端末３の動作
次に、上述した構成を有する車載情報端末３の動作を、地図情報の更新処理を中心に、図６に示すフローチャートを参照しながら説明する。なお、この地図情報の更新処理は、プロセッサ２４によって実行される処理である。この地図情報の更新処理は、車載情報端末３の使用者による配信道路情報を取得すべき旨の指示が入力装置２０から入力されたときに開始される。【００３８】
地図情報の更新処理では、まず、配信要求情報が送信される（ステップＳＴ２００）。すなわち、プロセッサ２４は、配信要求情報を管理するためのヘッダである配信要求情報ヘッダと、当該車載情報端末に付与されている車載情報端末識別情報とを含む配信要求情報を通信装置２３に送る。これにより、配信要求情報が地図情報提供装置１に送信される。次いで、配信道路情報の取得が行われる（ステップＳＴ２１０）。すなわち、プロセッサ２４は、ステップＳＴ２００における配信要求情報の送信に応答して地図情報提供装置１から送られてくる配信道路情報を通信装置２３から受信し、この受信した配信道路情報に含まれる座標点列データ、道路属性情報および精度情報を含む配信道路情報を取得して、その内部メモリ（図示しない）に格納する。このステップＳＴ２１０の処理により、例えば図４に示す新設された道路Ｒ７およびＲ８に対し、道路Ｒ７の頂点Ｐ１〜Ｐ９の緯度および経度を表す座標点の並びから成る座標点列データ、および、道路Ｒ８の頂点Ｐ１０〜Ｐ１３の緯度および経度を表す座標点の並びから成る座標点列データを含む配信道路情報が取得される。この発明の配信情報取得手段は、このステップＳＴ２１０の処理により実現されている。【００３９】
次いで、地図情報が取得される（ステップＳＴ２２０）。すなわち、プロセッサ２４は、ステップＳＴ２１０で取得した配信道路情報に含まれる座標点列データの座標点を有する地域の地図情報を記憶装置２２から取得し、その内部メモリ（図示しない）に格納する。次いで、道路データの生成が行われる（ステップＳＴ２３０）。すなわち、プロセッサ２４は、ステップＳＴ２１０で取得した配信道路情報に含まれる座標点列データ、道路属性情報および精度情報に基づき、ステップＳＴ２２０で取得した地図情報に含まれる道路情報によって表される道路網に、座標点列データによって表される道路を付加するための道路データを生成する。このステップＳＴ２３０で生成される道路データには、座標点列データの端点の座標値と道路情報に登録されている道路との位置関係により求められた、座標点列データによって表される道路と道路情報に登録されている道路との接続関係を表すデータ、座標点列データから求めた道路の形状を表すデータ、道路属性情報に従って設定した道路属性を表すデータ、精度情報に従って設定した形状を表すデータの精度を表すデータが含まれる。なお、上記各データは、道路情報を記憶装置２２に記憶するために適用された当該車載情報端末に定められたデータフオーマットと少なくともその一部と同じフォーマットで生成される。【００４０】
例えば、図４に示す道路Ｒ７に対し、道路Ｒ７の端点の頂点Ｐ１の座標点と道路Ｒ１、Ｒ２およびＲ３の交差点の位置とが誤差の範囲で一致すること、道路Ｒ７の端点の頂点Ｐ９の座標点と道路Ｒ４、Ｒ５およびＲ６の交差点の位置とが誤差の範囲で一致することから、道路Ｒ７が道路Ｒ１、Ｒ２およびＲ３と道路Ｒ４、Ｒ５およびＲ６に接続されるものと判定され、道路Ｒ７の頂点Ｐ１側を道路Ｒ１、Ｒ２およびＲ３に接続し、道路Ｒ７の頂点Ｐ９側を道路Ｒ４、Ｒ５およびＲ６に接続することを表すデータが生成される。また、道路の形状を表すデータとして、道路Ｒ７の頂点Ｐ１〜Ｐ９の緯度および経度を表すデータの並びが生成される。この発明の道路データ生成手段は、このステップＳＴ２３０の処理により実現されている。【００４１】
次いで、地図情報が更新される（ステップＳＴ２４０）。すなわち、プロセッサ２４は、ステップＳＴ２３０で生成した道路データを、ステップＳＴ２２０で取得した地図情報に含まれる道路情報に挿入または追加し、道路情報に登録されている道路を、道路データが表す道路に接続するために、道路情報を変更する。このステップＳＴ２４０の処理により、プロセッサ２４の内部メモリに更新された地図情報が得られる。例えば、図４に示す道路Ｒ７およびＲ８に対し、道路Ｒ７の道路データおよび道路Ｒ８の道路データが道路情報に追加または挿入され、道路Ｒ１〜Ｒ６が道路Ｒ７に接続され、道路Ｒ５およびＲ６が道路Ｒ８に接続されるように道路情報が変更される。この発明の地図情報更新手段は、このステップＳＴ２４０の処理により実現されている。【００４２】
次いで、地図情報が書き換えられる（ステップＳＴ２５０）。すなわち、プロセッサ２４は、記憶装置２２に記憶されている地図情報を、ステップＳＴ２４０で内部メモリに格納されている、更新された地図情報に書き換える。次いで、全配信道路情報の処理が終了したかどうかが調べられる（ステップＳＴ２６０）。すなわち、ステップＳＴ２１０で取得された配信道路情報のすべてについて、ステップＳＴ２２０からステップＳＴ２５０までの処理が終了したかどうかが調べられる。このステップＳＴ２６０において、全配信道路情報の処理が終了していないことが判断されると、シーケンスはステップＳＴ２２０に戻り、上述した処理が繰り返される。一方、ステップＳＴ２６０において、全配信道路情報の処理が終了したことが判断されると、地図情報の更新処理は終了する。【００４３】
以上の処理により、例えば図４に示す道路Ｒ７およびＲ８が新設されると、記憶装置２２に記憶されている地図情報は、道路Ｒ１〜Ｒ６に道路Ｒ７およびＲ８を付加した地図情報に更新される。【００４４】
以上説明したように、この発明の実施の形態１に係る地図情報提供システムによれば、車載情報端末３の道路情報に適用されているデータフォーマットに依存しない、単純な座標点の並びから成る座標点列データを地図情報提供装置１から車載情報端末３へ提供し、車載情報端末３において、保有する道路情報のデータフォーマットに合わせて道路データを生成するように構成したので、道路情報に適用されているデータフォーマットの違いに拘わらず、どの車載情報端末３においても容易に地図情報の更新が可能になる。また、配信道路情報は、座標点列データの精度を表す精度情報を含むので、更新後の地図情報から、付加した道路の形状の精度が得られる。その結果、付加した道路に対しても道路の形状の誤差に応じたマップマッチングおよび走行が可能になり、車載情報端末の性能を向上させることができる。【００４５】
実施の形態２．
この発明の実施の形態２は、地図情報提供システムを構成する車載情報端末３が、過去に取得した配信道路情報に基づき地図情報を更新するようにしたものである。この発明の実施の形態２に係る地図情報提供システム、地図情報提供装置１および車載情報端末３の構成は、上述した実施の形態１に係るこれらの構成と同じである。ただし、配信道路情報を記憶するために、図１５に示す記憶装置２２の配信道路情報記憶領域２２ｃが新たに使用される。配信道路情報記憶領域２２ｃは、この発明の配信道路情報記憶手段に対応する。【００４６】
この発明の実施の形態２に係る地図情報提供装置１の動作は、上述した実施の形態１に係る地図情報提供装置１の動作と同じである。したがって、以下では、車載情報端末３の動作のみを、図７に示すフローチャートを参照しながら説明する。この図７に示すフローチャートは、図６に示すフローチャートに、ステップＳＴ３００、ステップＳＴ３１０、ステップＳＴ３２０およびステップＳＴ３３０が追加されて構成されている。以下では、図６に示すフローチャートと同一の処理を行うステップには、図６で使用した符号と同一の符号を付して説明を簡略化し、追加された部分を中心に説明する。【００４７】
地図情報の更新処理では、まず、記憶された配信道路情報による更新が行われる（ステップＳＴ３００）。すなわち、プロセッサ２４は、記憶装置２２の配信道路情報記憶領域２２ｃに配信道路情報が記憶されていれば、この記憶されている配信道路情報の各々に対し、後述するステップＳＴ３１０と同様の判定を行い、配信道路情報によって表される道路を走行したと判定した場合に、配信道路情報に基づき、実施の形態１のステップＳＴ２２０、ステップＳＴ２３０、ステップＳＴ２４０およびステップＳＴ２５０と同様の処理を行うことによって、記憶装置２２の地図情報記憶領域２２ａに格納されている地図情報を更新し、書き換える。【００４８】
次いで、配信要求情報が送信され（ステップＳＴ２００）、配信道路情報の取得が行われる（ステップＳＴ２１０）。次いで、ステップＳＴ２１０で取得された配信道路情報によって示される道路を走行したかどうかが調べられる（ステップＳＴ３１０）。具体的には、プロセッサ２４は、ステップＳＴ２１０で取得した配信道路情報の座標点列データと、記憶装置２２の走行軌跡データ記憶領域２２ｂに記憶されている走行軌跡データとを比較する。この比較により、配信道路情報の座標点列が、配信道路情報の精度情報が示す誤差範囲内で走行軌跡データが示す走行軌跡に含まれる場合は、配信道路情報によって示される道路を走行したと判断され、そうでなければ走行していないと判断される。この発明の走行判定手段は、このステップＳＴ３１０の処理により実現されている。【００４９】
このステップＳＴ３１０において、配信道路情報によって示される道路を走行したことが判断されると、次いで、配信道路情報によって示される道路は未登録であるかどうかが調べられる（ステップＳＴ３２０）。すなわち、プロセッサ２４は、ステップＳＴ２１０で取得した配信道路情報の座標点列データと、記憶装置２２の地図情報記憶領域２２ａに記憶されている地図情報中の道路情報に登録されている道路の形状を表すデータとを比較し、配信道路情報によって示される道路の形状と誤差の範囲で一致する形状を有する道路情報に登録されている道路を探す。そして、見つかれば登録済みであると判断し、見つからなければ未登録であると判断する。この発明の登録判定手段は、このステップＳＴ３２０の処理によって実現されている。【００５０】
このステップＳＴ３２０において、未登録であることが判断されると、地図情報が取得され（ステップＳＴ２２０）、道路データの生成が行われる（ステップＳＴ２３０）。一方、ステップＳＴ３２０において、未登録でない、つまり登録済みであることが判断されると、ステップＳＴ２２０およびＳＴ２３０の処理はスキップされる。次いで、地図情報が更新され（ステップＳＴ２４０）、地図情報が書き換えられる（ステップＳＴ２５０）。次いで、全配信道路情報の処理が終了したかどうかが調べられ（ステップＳＴ２６０）、全配信道路情報の処理が終了していないことが判断されると、シーケンスはステップＳＴ２２０に戻り、上述した処理が繰り返される。一方、ステップＳＴ２６０において、全配信道路情報の処理が終了したことが判断されると、地図情報の更新処理は終了する。【００５１】
上記ステップＳＴ３１０において、配信道路情報によって示される道路を走行していないことが判断されると、配信道路情報が記憶される（ステップＳＴ３３０）。すなわち、プロセッサ２４は、ステップＳＴ２１０で取得した配信道路情報を記憶装置２２の配信道路情報記憶領域２２ｃに記憶する。その後、シーケンスはステップＳＴ２６０に進む。【００５２】
以上説明したように、この発明の実施の形態２によれば、配信道路情報を記憶装置２２に記憶するように構成したので、過去に取得した配信道路情報を有効に利用できる。また、使用者が走行したことがある道路は、今後再度利用される可能性が高く、その道路の配信道路情報に基づき地図情報が更新されるため、利用率の高い道路を地図情報に付加できる。また、走行したことがある道路であるか否かの判定は、配信道路情報に含まれる精度情報を加味して行われるため、配信道路情報によって示される道路を走行したか否かをより正確に判定できる。【００５３】
また、配信道路情報によって示される道路が登録済みである場合は、その配信道路情報に対する道路データは生成されないため、すでに登録済みの道路の道路データが生成されるのを防止できる。また、道路データが生成された配信道路情報は記憶しないように構成したので、記憶装置２２の記憶領域を無駄に消費することを防止できる。また、配信された配信道路情報のなかから、必要なものについてのみ道路データを生成することができるので、処理負荷を軽減できる。さらに、配信された配信道路情報の中で、必要性の高いものについて道路データを生成することができ、そうでないものについても、必要性が高まったときに利用できる。【００５４】
実施の形態３．
この発明の実施の形態３に係る地図情報提供システム、地図情報提供装置１および車載情報端末３の構成は、上述した実施の形態１に係るこれらの構成と同じである。ただし、配信道路情報を記憶するために、図１５に示す記憶装置２２の配信道路情報記憶領域２２ｃが新たに使用されるとともに、道路データを記憶するために、図１５の道路データ記憶領域２２ｄが新たに使用される。配信道路情報記憶領域２２ｃは、この発明の配信道路情報記憶手段に対応し、道路データ記憶領域２２ｄは、この発明の道路データ記憶手段に対応する。【００５５】
この発明の実施の形態３に係る地図情報提供装置１の動作は、上述した実施の形態１に係る地図情報提供装置１の動作と同じである。したがって、以下では、車載情報端末３の動作のみを、図８に示すフローチャートを参照しながら説明する。この図８に示すフローチャートは、図６に示すフローチャートに、ステップＳＴ４００、ステップＳＴ４１０およびステップＳＴ４２０が追加されて構成されている。以下では、図６に示すフローチャートと同一の処理を行うステップには、図６で使用した符号と同一の符号を付して説明を簡略化し、追加された部分を中心に説明する。【００５６】
地図情報の更新処理では、まず、配信要求情報が送信され（ステップＳＴ２００）、配信道路情報の取得が行われる（ステップＳＴ２１０）。次いで、未登録道路の配信道路情報が記憶される（ステップＳＴ４００）。すなわち、プロセッサ２４は、ステップＳＴ２１０で取得したすべての配信道路情報に対して以下の処理を行う。まず、配信道路情報にの座標点列データと、記憶装置２２の道路データ記憶領域２２ｄに記憶されている道路データによって示される道路の形状を表すデータとを比較し、配信道路情報によって示される道路の形状と誤差の範囲で一致する形状を有する道路データを記憶装置２２の道路データ記憶領域２２ｄにから探し、見つかれば登録済みであると判定する。一方、見つからなければ、さらに、配信道路情報の座標点列データと、記憶装置２２の地図情報記憶領域２２ａに記憶された地図情報中の道路情報に登録されている道路の形状を表すデータとを比較し、配信道路情報が表す道路の形状と誤差の範囲で一致する形状を有する道路情報に登録されている道路を探し、見つかれば登録済みであると判定し、見つからなければ未登録であると判定する。この判定の結果、未登録であることを判定すると、プロセッサ２４は、配信道路情報を記憶装置２２の配信道路情報記憶領域２２ｂに格納する。このステップＳＴ４００における判定処理は、この発明の登録判定手段に対応する。【００５７】
次いで、ステップＳＴ２１０で取得された配信道路情報によって示される道路を走行したかどうかが調べられる（ステップＳＴ４１０）。このステップＳＴ４１０では、記憶装置２２の配信道路情報記憶領域２２ｃに記憶された配信道路情報に対して、実施の形態２の図７に示すフローチャートのステップＳＴ３１０と同様の処理が行われる。このステップＳＴ４１０において、配信道路情報によって示される道路を走行したことが判断されると、次いで、地図情報が取得される（ステップＳＴ２２０）。すなわち、記憶装置２２の配信道路情報記憶領域２２ｃに記憶した配信道路情報に対して、実施の形態１の図６に示すフローチャートのステップＳＴ２２０と同様の処理が行われる。次いで、道路データの生成が行われる（ステップＳＴ２３０）。すなわち、記憶装置２２の配信道路情報記憶領域２２ｃに記憶した配信道路情報に基づき、実施の形態１の図６に示すフローチャートのステップＳＴ２３０と同様にして、その道路データが生成される。【００５８】
次いで、配信道路情報が削除される（ステップＳＴ４２０）。すなわち、プロセッサ２４は、ステップＳＴ２３０で生成した道路データに対応する配信道路情報を記憶装置２２の配信道路情報記憶領域２２ｃから削除する。上記ステップＳＴ４１０において、配信道路情報によって示される道路を走行していないことが判断されると、ステップＳＴ２２０、ステップＳＴ２３０およびステップＳＴ４２０の処理はスキップされる。【００５９】
次いで、地図情報が更新され（ステップＳＴ２４０）、地図情報が書き換えられる（ステップＳＴ２５０）。そして、全配信道路情報の処理が終了したかどうかが調べられる（ステップＳＴ２６０）。このステップＳＴ２６０において、全配信道路情報の処理が終了していないことが判断されると、シーケンスはステップＳＴ４１０に戻り、上述した処理が繰り返される。一方、ステップＳＴ２６０において、全配信道路情報の処理が終了したことが判断されると、地図情報の更新処理は終了する。【００６０】
以上説明したように、この発明の実施の形態３によれば、道路データが記憶装置２２に記憶されるため、同じ道路に関する道路データの生成は１回だけ実行すればよい。また、配信道路情報が記憶装置２２に記憶されるために、過去に取得した配信道路情報を有効に利用できる。また、未登録と判定された配信道路情報は記憶されないので、記憶装置２２の記憶領域を無駄に消費することを防止できる。【００６１】
また、走行したことがある道路は、今後再度利用される可能性が高く、この道路の配信道路情報に基づき地図情報が更新されるため、利用率の高い道路を地図情報に付加できる。さらに、生成された道路データに対応する配信道路情報は記憶装置２２から削除されるので、記憶装置２２の記憶領域を無駄に消費することを防止できる。【００６２】
実施の形態４．
この発明の実施の形態４は、車載情報端末の使用者が所望の道路を付加できるようにしたものである。この発明の実施の形態４に係る地図情報提供システム、地図情報提供装置１および車載情報端末３の構成は、上述した実施の形態１に係るそれらの構成と同じである。【００６３】
この発明の実施の形態４に係る地図情報提供装置１の動作は、上述した実施の形態１に係る地図情報提供装置１の動作と同じである。したがって、以下では、車載情報端末３の動作のみを、図９に示すフローチャートを参照しながら説明する。図９のフローチャートに示す処理は、車載情報端末３の使用者により記憶装置２２に記憶されている配信道路情報の一覧を表示すべき旨の指示が、入力装置２０から入力されたときに起動される。【００６４】
まず、配信道路情報が取得される（ステップＳＴ５００）。すなわち、プロセッサ２４は、地図情報提供装置１から送られてくる配信道路情報または記憶装置２２に記憶されている配信道路情報を取得する。次いで、地図情報が取得される（ステップＳＴ５１０）。すなわち、プロセッサ２４は、ステップＳＴ５００で取得した配信道路情報の座標点列データによって示される位置を含む地図情報を記憶装置２２から取得する。次いで、地図情報が表示される（ステップＳＴ５２０）。すなわち、プロセッサ２４は、ステップＳＴ５１０で取得した地図情報を用いて、出力装置２５に、道路、背景および名称を表示させる。【００６５】
次いで、配信道路情報が表示される（ステップＳＴ５３０）。すなわち、プロセッサ２４は、ステップＳＴ５００で取得した配信道路情報の座標点列データを用いて、配信道路情報によって示される道路を、ステップＳＴ５２０で表示した出力装置２５の画面上に、強調して表示させる。この発明の道路提示手段は、このステップＳＴ５３０の処理により実現されている。図１６は、図４に示す新設された道路Ｒ７およびＲ８の配信道路情報が記憶装置２２に記憶されている場合の出力装置２５の画面例であり、道路Ｒ７およびＲ８が太線で強調して表示されている。【００６６】
次いで、道路が選択される（ステップＳＴ５４０）。すなわち、車載情報端末３の使用者は、ステップＳＴ５３０において出力装置２５の画面上に表示された道路を、入力装置２０から選択する。使用者は、例えば、図１６に示す画面上で、入力装置２０を用いてカーソルを移動させ、道路Ｒ７またはＲ８のいずれかにヒットさせることにより、所望の道路を選択する。この発明の道路選択手段は、このステップＳＴ５４０の処理により実現されている。【００６７】
次いで、道路データが生成される（ステップＳＴ５５０）。このステップＳＴ５５０の処理は、実施の形態１におけるステップＳＴ２３０の処理と同様であり、ステップＳＴ５４０で選択された道路の配信道路情報に基づき道路データが生成される。次いで、配信道路情報が削除される（ステップＳＴ５６０）。すなわち、プロセッサ２４は、ステップＳＴ５５０で生成した道路データに対応する配信道路情報を記憶装置２２から削除する。【００６８】
次いで、地図情報が更新される（ステップＳＴ５７０）。このステップＳＴ５７０の処理は、実施の形態１におけるステップＳＴ２４０の処理と同様の処理であり、ステップＳＴ５５０で生成された道路データを用いて、ステップＳＴ５１０で取得された地図情報が更新される。次いで、地図情報が書き換えられる（ステップＳＴ５８０）。すなわち、プロセッサ２４は、記憶装置２２の地図情報を、ステップＳＴ５７０で得られた地図情報に書き換える。【００６９】
以上説明したように、この発明の実施の形態４によれば、記憶装置２２に記憶された配信道路情報を使用者が選択できるので、使用者が所望する道路を地図情報に付加することができる。【００７０】
実施の形態５．
この発明の実施の形態５は、実施の形態３を以下のように変形したものである。
（２−１）地図情報提供装置１
図１０は、実施の形態５に係る地図情報提供装置１の構成を示すブロック図である。この地図情報提供装置１は、実施の形態３に係る地図情報提供装置１に、地図情報記憶装置１４が追加されて構成されている。地図情報記憶装置１４は、最新の地図情報を地図情報提供装置１に固有に定められたデータフォーマットで記憶している。【００７１】
次に、実施の形態５に係る地図情報提供装置１の動作を、図１１に示すフローチャートを参照しながら説明する。図１１に示すフローチャートは、図５に示したフローチャートに、配信する道路を選択するためのステップＳＴ６００が追加されて構成されている。以下では、図５に示したフローチャートのステップと同じ処理が行われるステップには、図５で使用した符号と同一の符号を付して説明を省略し、異なる部分についてのみ説明する。【００７２】
図５に示すフローチャートのステップＳＴ１４０では、配信道路記憶装置１１に記憶されている、ステップＳＴ６００により選択された道路の配信道路元情報から道路識別情報、座標点列データ、道路属性情報および精度情報が取り出され、この取り出された道路識別情報、座標点列データ、道路属性情報および精度情報からなる配信道路情報が生成される。ただし、配信道路元情報の状態情報が、道路属性が変化したことを示している場合は、道路識別情報および道路属性情報からなる配信道路情報が生成される。地図情報記憶装置１４は、この発明の提供側地図情報記憶手段に対応する。【００７３】
ステップＳＴ６００では以下の処理が行われる。通信装置１０で受信された配信要求情報の内容に従って、以下に示すように、配信道路記憶装置１１から該当する配信道路元情報が選択され、その道路識別情報が求められる。【００７４】
（３１）配信要求情報が車両の位置を表す現在位置データを含むときは、配信道路記憶装置１１に記憶されている配信道路元情報を検索し、現在位置データによって示される位置の所定範囲に含まれる座標点列データを持つ配信道路元情報の道路識別情報が求められる。
（３２）配信要求情報が所望の道路が含まれるエリアを表すエリアデータを含むときは、配信道路記憶装置１１に記憶されている配信道路元情報を検索し、円領域、多角形領域等を表したエリアデータが示す円領域、多角形領域等のエリアに含まれる座標点列データを持つ配信道路元情報の道路識別情報が求められる。
（３３）配信要求情報が所望の範囲を示すために指定する道路を表す道路指定データとして、座標点列データを有しているときは、配信道路記憶装置１１に記憶されている配信道路元情報を検索し、所望の範囲を示すために指定する道路を表す座標点列データを示す走行軌跡の所定範囲に含まれる座標点列データを持つ配信道路元情報の道路識別情報が求められる。
（３４）配信要求情報が所望の範囲を示すために指定する道路を表す道路指定データとして道路識別情報を有しているときは、配信道路記憶装置１１に記憶されている配信道路元情報を検索し、所望の範囲を示すために指定する道路を表す道路識別情報の配信道路元情報における座標点列データを求め、次いで、配信道路記憶装置１１に記憶されている配信道路元情報の中から、座標点列データが示す座標点列の所定範囲に含まれる座標点列データを持つ配信道路元情報の道路識別情報が求められる。
（３５）配信要求情報が車両の現在位置を表す現在位置データと目的地を表す目的地データを含むときは地図情報記憶装置１４に記憶された地図情報を用いて、現在位置データによって示される位置から目的地データによって示される位置へ至る好適な経路を求め、次いで、配信道路記憶装置１１に記憶されている配信道路元情報を検索し、好適な経路の所定範囲に含まれる座標点列データを持つ配信道路元情報の道路識別情報が求められる。好適な経路を求める処理は、この発明の経路探索手段に対応する。【００７５】
なお、上述した（３１）〜（３５）において、配信要求情報が所要の期間を表す期間データをも含むときは、配信道路記憶装置１１に記憶されている配信道路元情報の検索は、開通時期情報および道路属性変化時期情報が、期間データによって示される期間に含まれる配信道路元情報に限定して行われる。また、上述した（３１）〜（３５）において、所望しない道路を表す不要道路指定データとして、配信要求情報が車載情報端末３の記憶装置２２に記憶されている道路を表す道路識別情報をも含むときは、配信道路記憶装置１１に記憶されている配信道路元情報の検索は、道路識別情報をもつ配信道路元情報を除外して行われる。この機能を実現するステップＳＴ６００の処理は、この発明の配信道路選択手段に対応する。【００７６】
（２−２）車載情報端末３
次に、車載情報端末３について説明する。実施の形態５に係る車載情報端末３の構成は、上述した実施の形態３に係る車載情報端末３の構成と同じである。ただし、道路識別情報・道路データ対応情報を記憶するために、図１５に示す記憶装置２２の道路識別情報・道路データ対応情報記憶領域２２ｅが新たに使用されるとともに、道路識別情報対応情報を記憶するために、図１５に示す記憶装置２２の道路識別情報対応情報記憶領域２２ｆが新たに使用される。道路識別情報・道路データ対応情報記憶領域２２ｅは、この発明の道路識別情報・道路データ対応情報記憶手段に対応し、道路識別情報対応情報記憶領域２２ｆは、この発明の道路識別情報対応情報記憶手段に対応する。【００７７】
なお、道路識別情報・道路データ対応情報は、道路識別情報と道路データとを対応付ける情報であり、道路識別情報対応情報は、道路識別情報と記憶装置２２に記憶されている地図情報中の道路情報に付加された道路データとを対応付ける情報である。【００７８】
車載情報端末３の動作は、図８に示すフローチャートのステップＳＴ２００、ステップＳＴ２１０、ステップＳＴ４００、ステップＳＴ２３０およびステップＳＴ２４０を以下のように変更することにより行われる。まず、ステップＳＴ２００においては、入力装置２０から入力された使用者の指示に従って、下記のような配信要求情報が生成され、通信装置２３を介して地図情報提供装置１へ送信される。このステップＳＴ２００の処理は、この発明の配信情報要求手段に対応する。【００７９】
（４１）使用者により現在地周辺の道路の取得が指示されたときは、配信要求情報ヘッダと、車載情報端末識別情報と、ナビゲーション処理により得られた現在位置を表す現在位置データとからなる配信要求情報が生成される。
（４２）使用者により道路情報を取得するエリアが入力されたときは、配信要求情報ヘッダと、車載情報端末識別情報と、エリアを表すエリアデータとからなる配信要求情報が生成される。
（４３）使用者により走行した道路の周辺の道路の取得が指示されたときは、記憶装置２２に記憶されている走行軌跡データと記憶装置２２に記憶されている地図情報に登録された道路の形状を表すデータとを比較し、走行軌跡データによって示される走行軌跡に含まれる道路がなければ、配信要求情報ヘッダと、車載情報端末識別情報と、走行軌跡データの座標点列データとからなる配信要求情報が生成される。
（４４）走行軌跡に含まれる道路があれば、記憶装置２２に記憶されている道路識別情報対応情報が調べられ、対応する道路識別情報があればその道路識別情報を求め、走行軌跡に対応する道路識別情報をもつ道路部を除いた走行軌跡に分割し、それらの座標点列データを求め、配信要求情報ヘッダと、車載情報端末識別情報と、上記で求められた道路識別情報と、上記で求められた座標点列データとからなる配信要求情報が生成される。この配信要求情報に含まれる座標点列データおよび道路識別情報は、道路指定データに相当し、所望の範囲、すなわち当該車両が走行した道路周辺を指定するための道路を表している。
（４５）使用者によりナビゲーション処理の経路探索によって得られた経路の周辺の道路の取得が指示されたときは、記憶装置２２に記憶されている道路識別情報対応情報を調べ、経路を構成する道路に対応する道路識別情報があればその道路識別情報を求め、なければ記憶装置２２の地図情報中の道路情報から、その道路の形状を表すデータから座標点列データを求め、配信要求情報ヘッダと、車載情報端末識別情報と、上記で求められた道路識別情報と、上記で求められた座標点列データとからなる配信要求情報が生成される。この配信要求情報に含まれる座標点列データおよび道路識別情報は、道路指定データに相当し、所望の範囲、すなわち経路探索により得られた経路周辺を指定するための道路を表している。
（４６）使用者により地図情報提供装置１で実施された経路探索により得られた目的地までの経路の周辺の道路の取得が指示されたときは、配信要求情報ヘッダと、車載情報端末識別情報と、ナビゲーション処理により得られた現在位置を表す現在位置データと、目的地の位置を表す目的地データとからなる配信要求情報が生成される。【００８０】
上記（４１）〜（４６）以外に、さらに使用者により取得する道路の開通時期および道路属性変化時期を限定する期間が入力装置２０より入力された場合は、期間を表す期間データが配信要求情報に加えられる。また、さらに使用者により記憶装置２２に記憶されている道路を取得しないように指示された場合は、記憶装置２２に記憶されている道路識別情報対応情報によって示される道路識別情報が不要道路指定データとして、配信要求情報に加えられる。【００８１】
ステップＳＴ２１０においては、地図情報提供装置１から通信装置２３を介して受信された道路識別情報、座標点列データ、道路属性情報および精度情報を含む配信道路情報または道路識別情報および道路属性情報を含む配信道路情報が取得される。【００８２】
ステップＳＴ４００においては、ステップＳＴ２１０で取得された配信道路情報に対して、以下の処理が行われる。すなわち、配信道路情報に含まれる道路識別情報が、記憶装置２２に記憶されている道路識別情報・道路データ対応情報および道路識別情報対応情報のいずれにも登録されていなければ、未登録であると判定され、登録されていれば登録済みであると判定される。このステップＳＴ４００における判定処理は、この発明の登録判定手段に対応する。この判定の結果、未登録であれば配信道路情報は、記憶装置２２に記憶される。【００８３】
ステップＳＴ２３０においては、記憶装置２２に記憶されている配信道路情報のうち、配信道路情報ヘッダ、道路識別情報および道路属性情報からなる配信道路情報に対しては、記憶装置２２に記憶されている道路識別情報・道路データ対応情報によって道路識別情報に対応付けられる道路データの道路属性を表すデータが道路属性情報に従って変更され、これ以外の配信道路情報に対しては、実施の形態３の図８に示すフローチャートのステップＳＴ２３０と同様の処理によって道路データが生成される。また、配信道路情報に含まれる道路識別情報と配信道路情報から生成された道路データとを対応付ける道路識別情報・道路データ対応情報が作成され、記憶装置２２に格納される。【００８４】
ステップＳＴ２４０においては、実施の形態３の図８に示すフローチャートのステップＳＴ２４０と同じ処理が行われるとともに、この処理により記憶装置２２に記憶された地図情報中の道路情報に付加された道路データと道路識別情報とを対応付ける道路識別情報対応情報が作成され、記憶装置２２に格納される。【００８５】
以上説明したように、この発明の実施の形態５によれば、地図情報提供装置１は、配信道路情報に道路識別情報を加えて配信し、車載情報端末３は、取得した道路識別情報を用いて登録判定を行うため、判定処理をより高速に行うことができる。また、道路属性が変化したときには、地図情報提供装置１は、道路識別情報と道路属性情報を配信し、車載情報端末３は、取得した道路識別情報と道路属性情報を用いて、該当する道路の道路属性を変更するように構成したので、配信道路情報のデータサイズを削減でき、車載情報端末３と地図情報提供装置１との間の通信時間を短縮できる。【００８６】
また、車載情報端末３は、所望の範囲を示すための現在位置データ、エリアデータ、道路を表す座標点列データ、道路を表す道路識別情報、所要の期間を表すデータを地図情報提供装置１へ送信し、地図情報提供装置１から該当する道路の配信道路情報を車載情報端末３へ配信するように構成したので、所望の道路の配信道路情報の配信および取得が可能になる。また、車載情報端末３の記憶装置２２に記憶されている道路を表す情報として、その道路識別情報を地図情報提供装置１へ送信し、地図情報提供装置１は該当する道路の配信道路情報を車載情報端末３へ配信しないように構成したので、使用者が所望しない不要な配信道路情報の配信および取得を防止できる。【００８７】
また、車載情報端末３は、現在位置を表す現在位置データ、目的地を表す目的地データを地図情報提供装置１へ送信し、地図情報提供装置１における経路探索により現在位置と目的地との間の好適な経路周辺の道路の配信道路情報を車載情報端末３へ配信するように構成したので、目的地までの経路および経路周辺の配信道路情報の配信および取得が可能になる。【００８８】
実施の形態６．
この発明の実施の形態６は、実施の形態５を以下のように変形したものである。
（３−１）地図情報提供装置１
地図情報提供装置１の構成は、図１０に示した実施の形態５に係るそれと同じである。以下、実施の形態６に係る地図情報提供装置１の動作を説明する。実施の形態６に係る地図情報提供装置１の動作は、図１１に示すフローチャートのステップＳＴ１００および１４０を以下のように変更することにより行われる。以下では、図１１に示したフローチャートのステップと同じ処理が行われるステップには、図１１で使用した符号と同一の符号を付して説明を省略し、異なる部分についてのみ説明する。【００８９】
ステップＳＴ１００においては、配信道路入力装置１２から入力される配信道路元情報には、実施の形態５において入力される情報に加えて、道路リスト用の道路名称情報、エリアリスト用のエリア識別情報およびエリアリスト用のエリア名称情報が含まれる。道路リスト用の道路名称情報は、車載情報端末３において、所望の道路を選択するために使用される当該道路の名称を表す文字列から成る。エリアリスト用のエリア識別情報は、車載情報端末３において、所望のエリア選択するため使用される当該道路が含まれるエリアを識別するための識別情報から成る。エリアリスト用のエリア名称情報は、車載情報端末３において、所望のエリア選択するために使用される当該道路が含まれるエリアの名称を表す文字列または予めエリアに付与されたコードから成る。【００９０】
ステップＳＴ１４０においては、地図情報提供装置１から通信装置１０を介して受信された配信要求情報のリスト要求状態情報が無効モードであるときは、実施の形態５で使用される図１１に示すフローチャートのステップＳＴ１４０と同様の処理により配信道路情報が生成される。地図情報提供装置１から通信装置１０を介して受信された配信要求情報のリスト要求状態情報が「道路リストモード」であるときは、ステップＳＴ６００で選択された道路の配信道路元情報の道路識別情報と道路リスト用の道路名称情報との対からなる道路リスト情報が作成され、配信道路情報を管理するためのヘッダと道路リスト情報とからなる配信道路情報が生成される。【００９１】
地図情報提供装置１から通信装置１０を介して受信された配信要求情報のリスト要求状態情報が「エリアリストモード」であるときは、ステップＳＴ６００で選択された道路の配信道路元情報のエリア識別情報とエリアリスト用のエリア名称情報との対からなるエリアリスト情報が作成され、配信道路情報を管理するためのヘッダとエリアリスト情報からなる配信道路情報が生成される。【００９２】
地図情報提供装置１から通信装置１０を介して、道路リストモードを示すリスト要求状態情報が含まれる配信要求情報を受信した後に、道路選択モードを示すリスト要求状態情報が含まれる配信要求情報を、同じ車載情報端末３から受信したとき、前回の処理においてステップＳＴ６００で選択された道路の配信道路元情報の中から、通信装置１０から受け取った配信要求情報の道路識別情報と同一の道路識別情報をもつ配信道路元情報を用いて実施の形態５で使用される図１１に示すフローチャートのステップＳＴ１４０と同様の処理により配信道路情報が生成される。これにより、配信された道路リストの中から車載情報端末３で選択された道路の配信道路情報が生成される。【００９３】
地図情報提供装置１から通信装置１０を介して、エリアリストモードを示すリスト要求状態情報が含まれる配信要求情報を受信した後に、エリア選択モードを示すリスト要求状態情報が含まれる配信要求情報を、同じ車載情報端末３から受信したとき、前回の処理においてステップＳＴ６００で選択された道路の配信道路元情報の中から、通信装置１０から受け取った配信要求情報のエリア識別情報と同一のエリア識別情報をもつ配信道路元情報を用いて実施の形態５で使用される図１１に示すフローチャートのステップＳＴ１４０と同様の処理により配信道路情報が生成される。これにより、配信されたエリアリストの中から車載情報端末３で選択されたエリアに含まれる道路の配信道路情報が生成される。上記ステップＳＴ１４０と実施の形態５で使用される図１１に示すフローチャートのステップＳＴ１５０とが、この発明の配信道路リスト提供手段および配信エリアリスト提供手段に対応する。【００９４】
（３−２）車載情報端末３
車載情報端末３の動作は、図８に示すフローチャートにしたがって行われる。ただし、図８に示すフローチャートのステップＳＴ２００の配信要求情報の送信処理が、図１２のフローチャートに示す処理に変更されている。以下、図１２に示すフローチャートを参照しながら、配信要求情報の送信処理を説明する。【００９５】
配信要求情報の送信処理では、まず、配信要求情報が生成される（ステップＳＴ７００）。このステップＳＴ７００においては、実施の形態５で使用される図８のステップＳＴ２００と同様の処理により配信要求情報が生成される。次いで、リスト要求があるかどうかが調べられる（ステップＳＴ７１０）。入力装置２０により入力された使用者の指示が、道路リストまたはエリアリストの取得であるかどうかが調べられる。【００９６】
このステップＳＴ７１０において、使用者の指示が道路リストおよびエリアリストの取得のいずれでもないと判断されたときは、実施の形態５と同様に配信する道路の配信道路情報を取得するものと認識され、配信要求情報が送信される（ステップＳＴ７２０）。すなわち、ステップＳＴ７００で生成された配信要求情報に、無効値を示す値が設定されたリスト要求状態情報を含む配信要求情報が、通信装置２３によって、地図情報提供装置１へ送信される。その後、シーケンスは図８に示すフローチャートのステップＳＴ２１０へ進み、以下、実施の形態５と同様の処理が行われる。【００９７】
上記ステップＳＴ７１０において、使用者の指示が道路リストまたはエリアリストの取得のいずかであると判断されたときは、次いで、道路リストの取得が要求されているかどうかが調べられる（ステップＳＴ７３０）。すなわち、入力装置２０から入力された使用者の指示が、道路リストの取得の指示であるかどうかが調べられる。このステップＳＴ７３０において、道路リストの取得が要求されていることが判断されると、次いで、配信要求情報が送信される（ステップＳＴ７４０）。すなわち、ステップＳＴ７００で生成された配信要求情報に、道路リスト要求を示す値が設定されたリスト要求状態情報を含む配信要求情報が、通信装置２３によって、地図情報提供装置１へ送信される。【００９８】
次いで、配信道路情報が取得される（ステップＳＴ７５０）。すなわち、地図情報提供装置１からの配信道路情報が送信されてくるのを待ち、通信装置２３から配信道路情報が取得される。上記ステップＳＴ７４０およびステップＳＴ７５０による処理は、この発明の配信道路リスト取得手段に対応する。【００９９】
次いで、道路一覧表示および選択が行われる（ステップＳＴ７６０）。すなわち、ステップＳＴ７５０で取得された配信道路情報に含まれる道路リスト情報により、道路名称の一覧が出力装置２５の画面上に表示され、この表示された道路名称の一覧から使用者が所望する道路名称が入力装置２０により指示されると、道路リスト情報から道路識別情報が求められる。このステップＳＴ７６０の処理は、この発明のリスティング道路選択手段に対応する。【０１００】
次いで、配信要求情報が送信される（ステップＳＴ７７０）。すなわち、配信要求情報ヘッダ、車載情報端末識別情報、道路選択要求を示す値が設定されたリスト要求状態情報およびステップＳＴ７６０で得られた道路識別情報からなる配信要求情報が生成され、この生成された配信要求情報が通信装置２３によって地図情報提供装置１へ送信される。その後、シーケンスは図８に示すフローチャートのステップＳＴ２１０へ進み、以下、実施の形態５と同様の処理が行われる。このステップＳＴ７７０の処理は、この発明の道路要求手段に対応する。【０１０１】
上記ステップＳＴ７３０において、エリアリストの取得が要求されていることが判断されると、次いで、配信要求情報が送信される（ステップＳＴ７８０）。すなわち、ステップＳＴ７００で生成された配信要求情報に、エリアリスト要求を示す値が設定されたリスト要求状態情報を含む配信要求情報が、通信装置２３によって、地図情報提供装置１へ送信される。次いで、配信道路情報が取得される（ステップＳＴ７９０）。すなわち、地図情報提供装置１からの配信道路情報が送信されてくるのを待ち、通信装置２３から配信道路情報が取得される。上記ステップＳＴ７８０およびステップＳＴ７９０による処理は、この発明の配信エリアリスト取得手段に対応する。【０１０２】
次いで、道路一覧表示および選択が行われる（ステップＳＴ８００）。すなわち、ステップＳＴ７５０で取得された配信道路情報に含まれるエリアリスト情報により、エリア名称の一覧が出力装置２５の画面上に表示され、この表示されたエリア名称の一覧から使用者が所望するエリア名称が入力装置２０により指示されると、エリアリスト情報からエリア識別情報が求められる。このステップＳＴ８００の処理は、この発明のリスティングエリア選択手段に対応する。【０１０３】
次いで、配信要求情報が送信される（ステップＳＴ８１０）。すなわち、配信要求情報ヘッダ、車載情報端末識別情報、エリア選択要求を示す値が設定されたリスト要求状態情報およびステップＳＴ８００で得られたエリア識別情報からなる配信要求情報が生成され、この生成された配信要求情報が通信装置２３によって地図情報提供装置１へ送信される。その後、シーケンスは図８に示すフローチャートのステップＳＴ２１０へ進み、以下、実施の形態５と同様の処理が行われる。このステップＳＴ８１０の処理は、この発明のエリア要求手段に対応する。【０１０４】
以上説明したように、この発明の実施の形態６によれば、地図情報提供装置１は、道路リストを予め配信し、車載情報端末３側では、取得する道路を道路リストから選択できるようにし構成したので、使用者は、所望する道路の情報を得ることができる。【０１０５】
また、地図情報提供装置１がエリアリストを予め配信し、車載情報端末３側では、取得するエリアをエリアリストから選択できるように構成したので、使用者は、所望するエリアに含まれる道路の情報を得ることができる。【０１０６】
実施の形態７．
この発明の実施の形態７に係る地図情報提供システム、地図情報提供装置１および車載情報端末３の構成は、上述した実施の形態５または実施の形態６に係るこれらの構成と同じである。【０１０７】
この発明の実施の形態７に係る地図情報提供装置１の動作は、上述した実施の形態５または実施の形態６に係る地図情報提供装置１の動作と同じである。したがって、以下では、車載情報端末３の動作のみを、図１３に示すフローチャートを参照しながら説明する。この図１３に示すフローチャートは、図８に示すフローチャートに、ステップＳＴ９００が追加されて構成されている。以下では、図８に示すフローチャートと同一の処理を行うステップには、図８で使用した符号と同一の符号を付して説明を簡略化し、追加された部分を中心に説明する。【０１０８】
ステップＳＴ９００においては、道路データの修正が行われる。すなわち、プロセッサ２４は、記憶装置２２に記憶されている道路データを調べ、記憶装置２２に記憶されている走行軌跡データと道路データ中の道路の形状を表すデータとを比較し、誤差の範囲内で一致または部分的に一致する道路データを探す。その結果、一致する道路データが見つかれば、車両の走行方向、すなわち走行軌跡データの座標点の並び順と道路データによって示される道路の方向、すなわち道路データにおける道路の形状を表す座標点の並び順とを比較し、一致すれば、道路の方向と同方向に通行可能と判定し、一致しなければ道路の方向と逆方向に通行可能と判定する。そして、この判定結果が道路データにおける通行規制情報によって示される通行規制と一致しなければ、通行規制情報を判定結果によって示されるように修正し、また、走行軌跡データより道路に対する進入、脱出方位を求め、道路データの通行規制情報の中に方位に関する進入、脱出規制があれば通行規制情報の進入および脱出規制を解除する。【０１０９】
また、上述した処理の結果、部分的に一致する道路データが見つかれば、道路データにおける道路の形状を表すデータの部分的に一致する箇所以外を走行軌跡データの該当する座標点の値に修正する。このステップＳＴ９００の処理は、この発明の道路データ修正手段に対応する。【０１１０】
以上説明したように、この発明の実施の形態７によれば、車両の走行状態を表す走行軌跡データに基づいて道路データを修正するように構成したので、現実の道路の状態に合った地図情報が得られる。【０１１１】
実施の形態８．
図１４は、実施の形態８に係る地図情報提供装置１の構成を示すブロック図である。この地図情報提供装置１は、実施の形態１に係る地図情報提供装置１に、配信管理情報記憶装置１５が追加されて構成されている。配信管理情報記憶装置１５は、車載情報端末３に配信済みの道路の管理するための配信管理情報を記憶している。配信管理情報記憶装置１５は、この発明の配信済み道路記憶手段に対応する。【０１１２】
この地図情報提供装置１の動作は、以下の点を除き、図５のフローチャートに示した実施の形態１に係る情報提供装置の動作と同じである。すなわち、図５に示すフローチャートのステップＳＴ１４０において、配信管理情報記憶装置１５に記憶されている配信管理情報を参照することにより、車載情報端末３から通信装置１０を介して受信された配信要求情報の車載情報端末識別情報に対応する配信管理情報を調べ、配信道路記憶装置１１に記憶されている配信道路元情報のうち、その道路識別情報が配信管理情報として登録されていないものに対してのみ、図５に示すフローチャートのステップＳＴ１４０と同様の処理によって配信道路情報が生成される。また、この生成された配信道路元情報の道路識別情報は、配信管理情報に登録される。【０１１３】
以上説明したように、この発明の実施の形態８によれば、配信済みの道路の道路識別情報を配信管理情報記憶装置１５に記憶される配信管理情報に登録し、この配信管理情報に道路識別情報が登録された道路の配信道路情報を生成しないように構成したので、同じ車載情報端末３に同じ道路の配信道路情報が何度も配信されるのを防止できる。【０１１４】
実施の形態９．
この発明の実施の形態９は、上述した実施の形態１〜実施の形態８に係る車載情報端末３において、記憶装置２２に記憶された地図情報に登録されていない未登録道路を走行したときに、記憶装置２２に記憶されている走行軌跡データに基づき、記憶装置２２に記憶されている地図情報を更新するようにしたものである。この機能を実現するための処理を「自立地図更新手段」と呼び、上述した実施の形態１〜実施の形態８に係る車載情報端末３において行われる処理およびナビゲーション処理と並行して実行される。【０１１５】
図１７は、自立地図更新手段を実現するために、プロセッサ２４で行われる処理を示すフローチャートである。自立地図更新手段では、まず、未登録道路を走行したかどうかが調べられる（ステップＳＴ１０００）。すなわち、ナビゲーション処理のマップマッチングにより、記憶装置２２に記憶されている地図情報に登録された道路以外の道路（未登録道路）を走行したかどうかが調べられる。このステップＳＴ１０００において、未登録道路を走行していないことが判断されると、このステップＳＴ１０００が繰り返し実行され、待機状態に入る。【０１１６】
一方、ステップＳＴ１０００において、未登録道路を走行したことが判断されると、座標点列データが取得される（ステップＳＴ１０１０）。すなわち、記憶装置２２に記憶されている走行軌跡データから、記憶装置２２に記憶されている地図情報に登録された道路以外の走行に該当する箇所の座標点列データが取得される。次いで、地図情報が取得される（ステップＳＴ１０２０）。すなわち、ステップＳＴ１０１０で取得された座標点列データの座標点を含む地域の地図情報が、記憶装置２２からプロセッサ２４の内部メモリに取得される。【０１１７】
次いで、道路データが生成される（ステップＳＴ１０３０）。すなわち、ステップＳＴ１０１０で取得された座標点列データとステップＳＴ１０２０で取得された地図情報とから、実施の形態１で使用される図６に示すフローチャートのステップＳＴ２３０と同様の処理にて、実施の形態１〜実施の形態８で生成される道路データと少なくとも一部が同一のデータフォーマットの道路データが生成される。【０１１８】
次いで、地図情報が更新される（ステップＳＴ１０４０）。すなわち、ステップＳＴ１０３０で生成された道路データにより、実施の形態１で使用される図６に示すフローチャートのステップＳＴ２４０と同様の処理にて、ステップＳＴ１０２０で取得された地図情報が更新される。次いで、地図情報が書き換えられる（ステップＳＴ１０５０）。すなわち、記憶装置２２に記憶されている地図情報が、ステップＳＴ１０４０で得られたプロセッサ２４の内部メモリに記憶されている更新された地図情報に書き換えられる。その後、シーケンスはステップＳＴ１０００に戻り、上述した処理が繰り返される。【０１１９】
以上説明したように、この発明の実施の形態９によれば、自立地図更新手段を設けたので、地図情報提供装置１において、配信道路入力装置１２から当該車載情報端末３のように記憶装置２２に登録されていない道路の配信道路情報が入力されるのを待つことなく、当該車両が未登録道路を走行すると直ちに地図情報を更新することができる。【０１２０】
また、実施の形態８で生成される道路データと、実施の形態１〜実施の形態８で生成される道路データは少なくとも一部が同一のデータフォーマットになるので、プロセッサ２４の道路データ生成のプログラムの共通化が可能となる。【０１２１】
なお、上述した実施の形態１〜実施の形態４および実施の形態９においては、配信道路情報を地図情報提供装置１から通信網２を介して取得するように構成したが、例えばメモリカードのような記憶媒体に予め配信道路情報を記憶しておき、この記憶媒体から配信道路情報を取得するように構成することもできる。【０１２２】
また、上述した実施の形態１〜実施の形態７および実施の形態９において、地図情報提供装置１と車載情報端末３は通信網２を介して通信を行うように構成したが、地上デジタルテレビ放送等の放送を利用して地図情報提供装置１から車載情報端末３へ配信道路情報を配信するように構成することもできる。【０１２３】
また、上述した実施の形態１〜実施の形態９において、地図情報提供装置１と車載情報端末３は通信網２を介して通信を行うように構成したが、地図情報提供装置１と車載情報端末３との間に、ＤＳＲＣ（Dedicated Short Range Communication）、無線ＬＡＮ（Local Area Network）等を利用した配信端末を介在させて通信を行うように構成することができる。【０１２４】
また、上述した実施の形態１〜実施の形態９において、車載情報端末３のプロセッサ２４による地図情報の更新は、車載情報端末３の使用者による配信道路情報の取得の指示が入力装置２０から入力されたときに開始するように構成したが、地図情報の更新は、定期的に、または、車両のエンジンが起動されたときに開始するように構成することもでき、また、ナビゲーション動作においてマップマッチングが外れて、記憶装置２２に記憶されている地図情報に登録されていない道路を走行したことが判明したときに開始するように構成することもでき、さらに、地図情報提供装置１と配信端末を介して通信を行う場合は、配信端末との通信可能な範囲に車両が入ったときに開始するように構成することもできる。【０１２５】
また、上述した実施の形態１〜実施の形態９において、地図情報提供装置１は、車載情報端末３で保有していない可能性のある道路の配信道路情報を配信するように構成したが、地図情報提供装置１は、廃止された道路についての道路識別情報および座標点列データを配信道路情報として配信し、車載情報端末３は、廃止された道路についての道路識別情報および座標点列データを配信道路情報を取得し、廃止された道路をナビゲーション処理に使用しないように構成することもできる。【０１２６】
また、上述した実施の形態１〜実施の形態９において、記憶装置２２に記憶されている地図情報を地図情報更新手段により生成した地図情報に書き換えるように構成したが、記憶装置２２に記憶されている地図情報を書き換えずに、地図情報が必要なときに、地図情報更新手段により道路データと記憶装置２２に記憶されている地図情報とからプロセッサ２４の内部メモリに新たな地図情報を生成し、プロセッサ２４の内部メモリに記憶されている地図情報を使用するように構成することができる。なお、この場合は、ＤＶＤ−ＲＯＭ（Digital Versatile Disk-Read Only Memory）のような書換え不可能な記憶媒体に地図情報を記憶するように構成できる。【０１２７】
また、上述した実施の形態５において、道路データを記憶装置２２に記憶するように構成したが、地図情報更新手段により新たな地図情報が生成された後に、この地図情報の生成に使用された道路データを記憶装置２２に記憶しないように構成することができる。【０１２８】
また、上述した実施の形態６において、配信エリアリストとしてエリア名称の一覧を提供するように構成したが、エリア名称の代わりにエリアの形状を表す座標点列を提供し、出力装置２５の画面にエリアを表示し、使用者が所望するエリアを選択するように構成することもできる。【０１２９】
また、上述した実施の形態１〜実施の形態９において、ステップＳＴ２３０およびステップＳＴ１０３０で、道路データを構成する各データのデータフォーマットが記憶装置２２に記憶されている道路情報のデータフォーマットと少なくとも一部が同じになるように構成したが、異なるデータフォーマットとしておき、地図更新手段において道路情報のデータフォーマットと少なくとも一部が同じになるように変換する構成とすることができる。【０１３０】
また、上述した実施の形態１〜実施の形態９において、ステップＳＴ２４０およびステップＳＴ１０４０では、ステップＳＴ２３０およびステップＳＴ１０３０で生成された道路データを用いて地図情報を更新するように構成したが、道路データを地図情報のどこに追加または挿入するか、地図情報に登録されている道路を道路データによって示される道路に接続するために地図情報のどこをどのように変更するか等のステップＳＴ２４０およびステップＳＴ１０４０における地図情報を更新するための手順を表した更新手順データを作成し、その更新手順データに従って地図情報を更新するように構成することもでき、さらに更新手順データを記憶装置２２に記憶するように構成することもできる。また、道路データと更新手順データとを１つに纏めたものを道路データとして扱うように構成することもできる。【０１３１】
また、上述した実施の形態２において、記憶装置２２に登録されていない道路の道路データを生成するように構成したが、記憶装置２２に登録されている道路であっても、記憶装置２２に登録されている道路の精度がより悪ければ、その道路の道路データを生成するように構成することもできる。【０１３２】
また、上述した実施の形態２において、記憶装置２２に登録されていない道路の道路データを生成するように構成したが、実施の形態９により記憶装置２２に登録された道路であれば、その道路の道路データを生成するように構成することができる。【０１３３】
また、上述した実施の形態３および実施の形態５において、記憶装置２２に登録されていない道路の配信道路情報を記憶装置２２に記憶するように構成したが、記憶装置２２に登録されている道路であっても、記憶装置に登録されている道路の精度がより悪ければ、その道路の配信道路情報を記憶装置２２に記憶するように構成することができる。【０１３４】
また、上述した実施の形態３および実施の形態５において、記憶装置２２に登録されていない道路の配信道路情報を記憶装置２２に記憶するように構成したが、実施の形態９により記憶装置２２に登録された道路であれば、その道路の配信道路情報を記憶装置２２に記憶するように構成することができる。【０１３５】
さらに、上述した実施の形態５において、配信道路情報に、配信道路情報によって示される道路に接続される道路の道路識別情報を含ませるように構成できる。
【産業上の利用可能性】
【０１３６】
以上のように、この発明に係る車載情報端末および地図情報提供装置ならびにこれらを用いた地図情報提供システムは、地図情報提供装置が座標点列データを配信し、車載情報端末が保有するデータフォーマットに合わせて、受信した座標点列データから道路データを生成することで、地図情報のデータフォーマットに拘らず地図データを更新することのできる車載情報端末および地図情報提供装置ならびにこれらを用いた地図情報提供システムとしたので、通信網を介してサーバと情報のやりとりを行う車両搭載ナビゲーション装置で使用される車載情報端末および地図情報提供装置ならびにこれらを用いた地図情報提供システムなどに用いるのに適している。
【図１】
2008044373.tif 000003
【図２】
2008044373.tif 000004
【図３】
2008044373.tif 000005
【図４】
2008044373.tif 000006
【図５】
2008044373.tif 000007
【図６】
2008044373.tif 000008
【図７】
2008044373.tif 000009
【図８】
2008044373.tif 000010
【図９】
2008044373.tif 000011
【図１０】
2008044373.tif 000012
【図１１】
2008044373.tif 000013
【図１２】
2008044373.tif 000014
【図１３】
2008044373.tif 000015
【図１４】
2008044373.tif 000016
【図１５】
2008044373.tif 000017
【図１６】
2008044373.tif 000018
【図１７】
2008044373.tif 000019
【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
地図情報を記憶する地図情報記憶手段と、
地理的位置を示す座標点の並びから成る座標点列データを含む配信道路情報を外部から取得する配信情報取得手段と、
前記配信情報取得手段によって取得された配信道路情報に含まれる座標点列データに基づき、前記地図情報記憶手段に記憶されている地図情報によって表される道路網に新たな道路を付加するための道路データを、該地図情報と少なくともその一部を同じフォーマットで生成する道路データ生成手段と、
前記道路データ生成手段で生成された道路データと前記地図情報記憶手段に記憶されている地図情報とから新たな地図情報を生成する地図情報更新手段と、
前記道路データ生成手段によって生成された道路データを記憶する道路データ記憶手段と、
前記配信情報取得手段によって取得された配信道路情報によって示される道路が、前記地図情報記憶手段に記憶されていない場合に、該道路は未登録であると判定し、記憶されている場合に該道路は登録されていると判定する登録判定手段と、
前記配信情報取得手段によって取得された配信道路情報によって示される道路を走行したか否かを判定する走行判定手段とを備え、
前記道路データ生成手段によって道路データが生成された場合に、前記配信道路情報記憶手段に記憶された配信道路情報から該生成された道路データに対応する配信道路情報が削除されることを特徴とする車載情報端末。
【請求項２】
配信情報取得手段によって取得された配信道路情報を記憶する配信道路情報記憶手段を備え、
道路データ生成手段は、前記配信道路情報記憶手段に記憶されている配信道路情報に含まれる座標点列データに基づき、地図情報記憶手段に記憶されている地図情報によって表される道路網に新たな道路を付加するための道路データを、該地図情報と少なくともその一部を同じフォーマットで生成する
ことを特徴とする請求項１記載の車載情報端末。
【請求項３】
配信情報取得手段によって取得された配信道路情報によって示される道路が、地図情報記憶手段に記憶されていない場合に、該道路は未登録であると判定し、記憶されている場合に該道路は登録されていると判定する登録判定手段を備え、
道路データ生成手段は、配信道路情報によって示される道路が前記登録判定手段により未登録と判定された場合にのみ、前記配信情報取得手段によって取得された配信道路情報に含まれる座標点列データに基づき、道路データを、該地図情報と少なくともその一部を同じフォーマットで生成する
ことを特徴とする請求項１記載の車載情報端末。
【請求項４】
配信情報取得手段によって取得された配信道路情報によって示される道路を走行したか否かを判定する走行判定手段を備え、
道路データ生成手段は、前記走行判定手段によって走行したことが判定された場合に、前記配信情報取得手段によって取得された配信道路情報に含まれる座標点列データに基づき、道路データを、該地図情報と少なくともその一部を同じフォーマットで生成する
ことを特徴とする請求項１記載の車載情報端末。
【請求項５】
道路データ生成手段によって生成された道路データを記憶する道路データ記憶手段を備え、
地図情報更新手段は、前記道路データ記憶手段に記憶された道路データと地図情報記憶手段に記憶されている地図情報とを合成することにより新たな地図情報を生成する
ことを特徴とする請求項１記載の車載情報端末。
【請求項６】
配信情報取得手段により取得した配信道路情報によって示される道路が、登録判定手段により未登録と判定された場合にのみ、該配信道路情報は配信道路情報記憶手段に記憶される
ことを特徴とする請求項１記載の車載情報端末。
【請求項７】
道路データ生成手段は、配信情報取得手段に記憶された配信道路情報によって示される道路を走行したと走行判定手段によって判定されたときに、該配信道路情報の座標点列データから道路データを生成する
ことを特徴とする請求項１記載の車載情報端末。
【請求項８】
配信情報取得手段によって取得された配信道路情報によって示される道路を走行したか否かを判定する走行判定手段を備え、
前記走行判定手段によって配信情報取得手段により取得された配信道路情報によって表される道路を走行したことが判定された場合は、道路データ生成手段によって、前記配信情報取得手段によって取得された配信道路情報に含まれる座標点列データに基づき、道路データが、該地図情報と少なくともその一部を同じフォーマットで生成され、走行していないことが判定された場合は、前記配信情報取得手段によって取得された配信道路情報は、配信道路情報記憶手段に記憶される
ことを特徴とする請求項２記載の車載情報端末。
【請求項９】
配信情報取得手段により取得された配信道路情報または配信道路情報記憶手段に記憶されている配信道路情報によって示される道路を提示する道路提示手段と、
前記道路提示手段により提示された道路の中から所望の道路を選択する道路選択手段とを備え、
道路データ生成手段は、前記道路選択手段により選択された道路を表す配信道路情報に基づき道路データを生成する
ことを特徴とする請求項２記載の車載情報端末。
【請求項１０】
配信情報取得手段は、座標点列データの精度を表す精度情報を含む配信道路情報を取得する
ことを特徴とする請求項１記載の車載情報端末。
【請求項１１】
配信情報取得手段は、道路を識別するための道路識別情報を含む配信道路情報を取得し、
登録判定手段は、配信道路情報によって示される道路の道路識別情報が、記憶手段に記憶されている道路の道路識別情報と一致しない場合に、該道路は未登録であると判定し、一致する場合に該道路は登録されていると判定する
ことを特徴とする請求項１記載の車載情報端末。
【請求項１２】
配信情報取得手段は、道路を識別するための道路識別情報と道路属性情報とを含む配信道路情報を取得し、
前記配信情報取得手段により取得された配信道路情報に含まれる道路識別情報によって示される道路の道路属性が、配信情報取得手段により取得した配信道路情報の道路属性情報に従って変更される
ことを特徴とする請求項１記載の車載情報端末。
【請求項１３】
現在位置を表す現在位置データ、所望の道路が含まれるエリアを表すエリアデータ、所望の範囲を示すために指定する道路を表す道路指定データ、所望しない道路を表す不要道路指定データ、目的地を表す目的地データおよび所望の期間を表す期間データの少なくとも１つを含む配信要求情報を外部へ送信する配信情報要求手段
を備えたことを特徴とする請求項１記載の車載情報端末。
【請求項１４】
配信情報取得手段は、現在位置を表す現在位置データおよび目的地の位置を表す目的地データを含む配信要求情報を外部へ送信する配信情報要求手段
を備えたことを特徴とする請求項１記載の車載情報端末。
【請求項１５】
外部から配信される道路の一覧を示す配信道路リストを取得する配信道路リスト取得手段と、
前記配信道路リスト取得手段で取得された配信道路リストの中から所望の道路を選択するリスティング道路選択手段と、
前記リスティング道路選択手段により選択された道路の配信道路情報の取得を外部に要求する道路要求手段
とを備えたことを特徴とする請求項１記載の車載情報端末。
【請求項１６】
外部から配信される道路を含むエリアの一覧を示す配信エリアリストを取得する配信エリアリスト取得手段と、
前記配信エリアリスト取得手段で取得された配信エリアリストの中から所望のエリアを選択するリスティングエリア選択手段と、
前記リスティングエリア選択手段により選択されたエリア内の道路の配信道路情報の取得を外部に要求するエリア要求手段
とを備えたことを特徴とする請求項１記載の車載情報端末。
【請求項１７】
走行状態を表す走行軌跡データに基づき、道路データ記憶手段に記憶されている道路データを修正する道路データ修正手段
を備えたことを特徴とする請求項１記載の車載情報端末。
【請求項１８】
記憶手段に記憶されていない道路を走行したときの走行軌跡に基づいて、記憶手段に記憶されている地図情報を更新する自立地図更新手段
を備えたことを特徴とする請求項１記載の車載情報端末。
【請求項１９】
外部から送信されてきた現在位置を表す現在位置データ、所望の道路が含まれるエリアを表すエリアデータまたは所望の範囲を示すために指定する道路を表す道路指定データのいずれかを含む配信要求情報を取得する配信要求情報取得手段と、
新設された道路を表す座標点列データを記憶する配信道路記憶手段と、
前記配信道路記憶手段に記憶されている座標点列データによって表される道路を、前記配信要求情報取得手段で取得された配信要求情報に従って、現在位置データによって示される位置の周辺の道路、エリアデータによって示されるエリアに含まれる道路または道路指定データによって示される道路の周辺の道路のいずれかを選択し、該選択した道路の座標点列データを取得する配信道路選択手段と、
前記配信道路選択手段により選択された道路の座標点列データを含む配信道路情報を外部へ配信する道路情報配信手段
とを備えた地図情報提供装置。
【請求項２０】
配信道路記憶手段は、新設された道路を表す座標点列データと、道路を識別するための道路識別情報とを記憶し、
道路情報配信手段は、配信道路選択手段により選択された道路の座標点列データと、道路識別情報とを含む配信道路情報を外部へ配信する
ことを特徴とする請求項１９記載の地図情報提供装置。
【請求項２１】
配信道路選択手段は、配信要求情報取得手段により取得された配信要求情報に含まれる道路識別情報により所望しない道路を表す不要道路指定データが指定されている場合は、該不要道路指定データによって示される道路を選択しない
ことを特徴とする請求項１９記載の地図情報提供装置。
【請求項２２】
配信道路記憶手段に記憶されている道路の座標点列データを含む配信道路情報が外部へ配信されたか否かを配信先毎に記憶する配信済み道路記憶手段を備え、
配信道路選択手段は、配信済み道路記憶手段の記憶内容に従って、配信道路情報を配信していない道路のなかから配信道路情報を配信する道路を選択する
ことを特徴とする請求項１９記載の地図情報提供装置。
【請求項２３】
地図情報を記憶する提供側地図情報記憶手段と、
前記提供側地図情報記憶手段に記憶された地図情報を用いて、配信要求情報取得手段により取得された配信要求情報に含まれる現在位置データによって示される出発地から前記配信要求情報取得手段により取得された配信要求情報に含まれる目的地データによって示される目的地に至るのに好適な経路を探索する経路探索手段とを備え、
配信道路選択手段は、配信道路記憶手段に記憶されている道路から、前記経路探索手段によて探索された経路の周辺にある道路を選択する
ことを特徴とする請求項１９記載の地図情報提供装置。
【請求項２４】
配信道路選択手段により選択された道路の一覧を表す配信道路リストを外部に提供する配信道路リスト提供手段
を備えたことを特徴とする請求項１９記載の地図情報提供装置。
【請求項２５】
配信道路選択手段により選択された道路が含まれるエリアの一覧を表す配信エリアリストを外部に提供する配信エリアリスト提供手段
を備えたことを特徴とする請求項１９記載の地図情報提供装置。
【請求項２６】
地図情報提供装置と車載情報端末とから成る地図情報提供システムであって、
前記地図情報提供装置は、
前記車載情報端末から送信されてきた現在位置を表す現在位置データ、所望の道路が含まれるエリアを表すエリアデータまたは所望の範囲を示すために指定する道路を表す道路指定データのいずれかを含む配信要求情報を取得する配信要求情報取得手段と、
新設された道路を表す座標点列データを記憶する配信道路記憶手段と、
前記配信道路記憶手段に記憶されている座標点列データによって表される道路を、前記配信要求情報取得手段で取得された配信要求情報に従って、現在位置データによって示される位置の周辺の道路、エリアデータによって示されるエリアに含まれる道路または道路指定データによって示される道路の周辺の道路のいずれかを選択し、該選択した道路の座標点列データを取得する配信道路選択手段と、
前記配信道路選択手段により選択された道路の座標点列データを含む配信道路情報を前記車載情報端末へ配信する道路情報配信手段
とを備え、
前記車載情報端末は、
地図情報を記憶する地図情報記憶手段と、
地理的位置を示す座標点の並びから成る座標点列データを含む配信道路情報を地図情報提供装置から取得する配信情報取得手段と、
前記配信情報取得手段によって取得された配信道路情報に含まれる座標点列データに基づき、前記地図情報記憶手段に記憶されている地図情報によって表される道路網に新たな道路を付加するための道路データを、該地図情報と少なくともその一部を同じフォーマットで生成する道路データ生成手段と、
前記道路データ生成手段で生成された道路データと前記地図情報記憶手段に記憶されている地図情報とから新たな地図情報を生成する地図情報更新手段
とを備えたことを特徴とする地図情報提供システム。
【手続補正２】
【補正対象書類名】明細書
【補正対象項目名】０００８
【補正方法】変更
【補正の内容】
【０００８】
この発明に係る車載情報端末は、上記課題を解決するために、地図情報を記憶する地図情報記憶手段と、地理的位置を示す座標点の並びから成る座標点列データを含む配信道路情報を外部から取得する配信情報取得手段と、配信情報取得手段によって取得された配信道路情報に含まれる座標点列データに基づき、地図情報記憶手段に記憶されている地図情報によって表される道路網に新たな道路を付加するための道路データを、該地図情報と少なくともその一部を同じフォーマットで生成する道路データ生成手段と、道路データ生成手段で生成された道路データと地図情報記憶手段に記憶されている地図情報とから新たな地図情報を生成する地図情報更新手段と、道路データ生成手段によって生成された道路データを記憶する道路データ記憶手段と、配信情報取得手段によって取得された配信道路情報によって示される道路が、地図情報記憶手段に記憶されていない場合に、該道路は未登録であると判定し、記憶されている場合に該道路は登録されていると判定する登録判定手段と、配信情報取得手段によって取得された配信道路情報によって示される道路を走行したか否かを判定する走行判定手段とを備え、道路データ生成手段によって道路データが生成された場合に、配信道路情報記憶手段に記憶された配信道路情報から該生成された道路データに対応する配信道路情報が削除されるようにしたものである。
【手続補正３】
【補正対象書類名】明細書
【補正対象項目名】００９０
【補正方法】変更
【補正の内容】
【００９０】
ステップＳＴ１４０においては、車載情報端末３から通信装置１０を介して受信された配信要求情報のリスト要求状態情報が無効モードであるときは、実施の形態５で使用される図１１に示すフローチャートのステップＳＴ１４０と同様の処理により配信道路情報が生成される。車載情報端末３から通信装置１０を介して受信された配信要求情報のリスト要求状態情報が「道路リストモード」であるときは、ステップＳＴ６００で選択された道路の配信道路元情報の道路識別情報と道路リスト用の道路名称情報との対からなる道路リスト情報が作成され、配信道路情報を管理するためのヘッダと道路リスト情報とからなる配信道路情報が生成される。
【手続補正４】
【補正対象書類名】明細書
【補正対象項目名】００９１
【補正方法】変更
【補正の内容】
【００９１】
車載情報端末３から通信装置１０を介して受信された配信要求情報のリスト要求状態情報が「エリアリストモード」であるときは、ステップＳＴ６００で選択された道路の配信道路元情報のエリア識別情報とエリアリスト用のエリア名称情報との対からなるエリアリスト情報が作成され、配信道路情報を管理するためのヘッダとエリアリスト情報からなる配信道路情報が生成される。
【手続補正５】
【補正対象書類名】明細書
【補正対象項目名】００９２
【補正方法】変更
【補正の内容】
【００９２】
車載情報端末３から通信装置１０を介して、道路リストモードを示すリスト要求状態情報が含まれる配信要求情報を受信した後に、道路選択モードを示すリスト要求状態情報が含まれる配信要求情報を、同じ車載情報端末３から受信したとき、前回の処理においてステップＳＴ６００で選択された道路の配信道路元情報の中から、通信装置１０から受け取った配信要求情報の道路識別情報と同一の道路識別情報をもつ配信道路元情報を用いて実施の形態５で使用される図１１に示すフローチャートのステップＳＴ１４０と同様の処理により配信道路情報が生成される。これにより、配信された道路リストの中から車載情報端末３で選択された道路の配信道路情報が生成される。
【手続補正６】
【補正対象書類名】明細書
【補正対象項目名】００９３
【補正方法】変更
【補正の内容】
【００９３】
車載情報端末３から通信装置１０を介して、エリアリストモードを示すリスト要求状態情報が含まれる配信要求情報を受信した後に、エリア選択モードを示すリスト要求状態情報が含まれる配信要求情報を、同じ車載情報端末３から受信したとき、前回の処理においてステップＳＴ６００で選択された道路の配信道路元情報の中から、通信装置１０から受け取った配信要求情報のエリア識別情報と同一のエリア識別情報をもつ配信道路元情報を用いて実施の形態５で使用される図１１に示すフローチャートのステップＳＴ１４０と同様の処理により配信道路情報が生成される。これにより、配信されたエリアリストの中から車載情報端末３で選択されたエリアに含まれる道路の配信道路情報が生成される。上記ステップＳＴ１４０と実施の形態５で使用される図１１に示すフローチャートのステップＳＴ１５０とが、この発明の配信道路リスト提供手段および配信エリアリスト提供手段に対応する。
【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
地図情報を記憶する地図情報記憶手段と、
地理的位置を示す座標点の並びから成る座標点列データを含む配信道路情報を外部から取得する配信情報取得手段と、
前記配信情報取得手段によって取得された配信道路情報を記憶する配信道路情報記憶手段と、
前記配信情報取得手段によって取得された配信道路情報に含まれる座標点列データに基づき、前記地図情報記憶手段に記憶されている地図情報によって表される道路網に新たな道路を付加するための道路データを、該地図情報と少なくともその一部を同じフォーマットで生成する道路データ生成手段と、
前記道路データ生成手段で生成された道路データと前記地図情報記憶手段に記憶されている地図情報とから新たな地図情報を生成する地図情報更新手段と、
前記道路データ生成手段によって生成された道路データを記憶する道路データ記憶手段と、
前記配信情報取得手段によって取得された配信道路情報によって示される道路が、前記地図情報記憶手段に記憶されていない場合に、該道路は未登録であると判定し、記憶されている場合に該道路は登録されていると判定する登録判定手段と、
前記配信情報取得手段によって取得された配信道路情報によって示される道路を走行したか否かを判定する走行判定手段とを備え、
前記道路データ生成手段によって道路データが生成された場合に、前記配信道路情報記憶手段に記憶された配信道路情報から該生成された道路データに対応する配信道路情報が削除されることを特徴とする車載情報端末。
【請求項２】
道路データ生成手段は、前記配信道路情報記憶手段に記憶されている配信道路情報に含まれる座標点列データに基づき、地図情報記憶手段に記憶されている地図情報によって表される道路網に新たな道路を付加するための道路データを、該地図情報と少なくともその一部を同じフォーマットで生成する
ことを特徴とする請求項１記載の車載情報端末。
【請求項３】
配信情報取得手段によって取得された配信道路情報によって示される道路が、地図情報記憶手段に記憶されていない場合に、該道路は未登録であると判定し、記憶されている場合に該道路は登録されていると判定する登録判定手段を備え、
道路データ生成手段は、配信道路情報によって示される道路が前記登録判定手段により未登録と判定された場合にのみ、前記配信情報取得手段によって取得された配信道路情報に含まれる座標点列データに基づき、道路データを、該地図情報と少なくともその一部を同じフォーマットで生成する
ことを特徴とする請求項１記載の車載情報端末。
【請求項４】
配信情報取得手段によって取得された配信道路情報によって示される道路を走行したか否かを判定する走行判定手段を備え、
道路データ生成手段は、前記走行判定手段によって走行したことが判定された場合に、前記配信情報取得手段によって取得された配信道路情報に含まれる座標点列データに基づき、道路データを、該地図情報と少なくともその一部を同じフォーマットで生成する
ことを特徴とする請求項１記載の車載情報端末。
【請求項５】
道路データ生成手段によって生成された道路データを記憶する道路データ記憶手段を備え、
地図情報更新手段は、前記道路データ記憶手段に記憶された道路データと地図情報記憶手段に記憶されている地図情報とを合成することにより新たな地図情報を生成する
ことを特徴とする請求項１記載の車載情報端末。
【請求項６】
配信情報取得手段により取得した配信道路情報によって示される道路が、登録判定手段により未登録と判定された場合にのみ、該配信道路情報は配信道路情報記憶手段に記憶される
ことを特徴とする請求項１記載の車載情報端末。
【請求項７】
道路データ生成手段は、配信情報取得手段に記憶された配信道路情報によって示される道路を走行したと走行判定手段によって判定されたときに、該配信道路情報の座標点列データから道路データを生成する
ことを特徴とする請求項１記載の車載情報端末。
【請求項８】
配信情報取得手段によって取得された配信道路情報によって示される道路を走行したか否かを判定する走行判定手段を備え、
前記走行判定手段によって配信情報取得手段により取得された配信道路情報によって表される道路を走行したことが判定された場合は、道路データ生成手段によって、前記配信情報取得手段によって取得された配信道路情報に含まれる座標点列データに基づき、道路データが、該地図情報と少なくともその一部を同じフォーマットで生成され、走行していないことが判定された場合は、前記配信情報取得手段によって取得された配信道路情報は、配信道路情報記憶手段に記憶される
ことを特徴とする請求項２記載の車載情報端末。
【請求項９】
配信情報取得手段により取得された配信道路情報または配信道路情報記憶手段に記憶されている配信道路情報によって示される道路を提示する道路提示手段と、
前記道路提示手段により提示された道路の中から所望の道路を選択する道路選択手段とを備え、
道路データ生成手段は、前記道路選択手段により選択された道路を表す配信道路情報に基づき道路データを生成する
ことを特徴とする請求項２記載の車載情報端末。
【請求項１０】
配信情報取得手段は、座標点列データの精度を表す精度情報を含む配信道路情報を取得する
ことを特徴とする請求項１記載の車載情報端末。
【請求項１１】
配信情報取得手段は、道路を識別するための道路識別情報を含む配信道路情報を取得し、
登録判定手段は、配信道路情報によって示される道路の道路識別情報が、記憶手段に記憶されている道路の道路識別情報と一致しない場合に、該道路は未登録であると判定し、一致する場合に該道路は登録されていると判定する
ことを特徴とする請求項１記載の車載情報端末。
【請求項１２】
配信情報取得手段は、座標点列データに加えて、前記座標点列データが表す道路を識別するための道路識別情報と、前記座標点列データが表す道路の道路属性情報とを含む配信道路情報を取得し、
前記配信情報取得手段により取得された配信道路情報に含まれる道路識別情報によって示される道路データ記憶手段に記憶された道路データの道路属性が、前記配信情報取得手段により取得した配信道路情報の道路属性情報に従って変更される
ことを特徴とする請求項１記載の車載情報端末。
【請求項１３】
配信情報取得手段は、配信道路情報を外部から取得するに先立ち、現在位置を表す現在位置データ、所望の道路が含まれるエリアを表すエリアデータ、所望の範囲を示すために指定する道路を表す道路指定データ、所望しない道路を表す不要道路指定データ、目的地の位置を表す目的地データおよび所望の期間を表す期間データの少なくとも１つを含む配信要求情報を前記外部へ送信する配信情報要求手段
を備えたことを特徴とする請求項１記載の車載情報端末。
【請求項１４】
配信情報取得手段は、配信道路情報を外部から取得するに先立ち、現在位置を表す現在位置データおよび目的地の位置を表す目的地データを含む配信要求情報を前記外部へ送信する配信情報要求手段
を備えたことを特徴とする請求項１記載の車載情報端末。
【請求項１５】
外部から配信される道路の一覧を示す配信道路リストを取得する配信道路リスト取得手段と、
前記配信道路リスト取得手段で取得された配信道路リストの中から所望の道路を選択するリスティング道路選択手段と、
前記リスティング道路選択手段により選択された道路の配信道路情報の取得を外部に要求する道路要求手段
とを備えたことを特徴とする請求項１記載の車載情報端末。
【請求項１６】
外部から配信される道路を含むエリアの一覧を示す配信エリアリストを取得する配信エリアリスト取得手段と、
前記配信エリアリスト取得手段で取得された配信エリアリストの中から所望のエリアを選択するリスティングエリア選択手段と、
前記リスティングエリア選択手段により選択されたエリア内の道路の配信道路情報の取得を外部に要求するエリア要求手段
とを備えたことを特徴とする請求項１記載の車載情報端末。
【請求項１７】
走行状態を表す走行軌跡データに基づき、道路データ記憶手段に記憶されている道路データを修正する道路データ修正手段
を備えたことを特徴とする請求項１記載の車載情報端末。
【請求項１８】
記憶手段に記憶されていない道路を走行したときの走行軌跡に基づいて、記憶手段に記憶されている地図情報を更新する自立地図更新手段
を備えたことを特徴とする請求項１記載の車載情報端末。
【請求項１９】
外部から送信されてきた現在位置を表す現在位置データ、所望の道路が含まれるエリアを表すエリアデータまたは所望の範囲を示すために指定する道路を表す道路指定データのいずれかを含む配信要求情報を取得する配信要求情報取得手段と、
新設された道路を表す座標点列データを記憶する配信道路記憶手段と、
前記配信道路記憶手段に記憶されている座標点列データによって表される道路を、前記配信要求情報取得手段で取得された配信要求情報に従って、現在位置データによって示される位置の周辺の道路、エリアデータによって示されるエリアに含まれる道路または道路指定データによって示される道路の周辺の道路のいずれかを選択し、該選択した道路の座標点列データを取得する配信道路選択手段と、
前記配信道路選択手段により選択された道路の座標点列データを含む配信道路情報を外部へ配信する道路情報配信手段
とを備えた地図情報提供装置。
【請求項２０】
配信道路記憶手段は、新設された道路を表す座標点列データと、道路を識別するための道路識別情報とを記憶し、
道路情報配信手段は、配信道路選択手段により選択された道路の座標点列データと、道路識別情報とを含む配信道路情報を外部へ配信する
ことを特徴とする請求項１９記載の地図情報提供装置。
【請求項２１】
配信道路選択手段は、配信要求情報取得手段により取得された配信要求情報に含まれる道路識別情報により所望しない道路を表す不要道路指定データが指定されている場合は、該不要道路指定データによって示される道路を選択しない
ことを特徴とする請求項１９記載の地図情報提供装置。
【請求項２２】
配信道路記憶手段に記憶されている道路の座標点列データを含む配信道路情報が外部へ配信されたか否かを配信先毎に記憶する配信済み道路記憶手段を備え、
配信道路選択手段は、配信済み道路記憶手段の記憶内容に従って、配信道路情報を配信していない道路のなかから配信道路情報を配信する道路を選択する
ことを特徴とする請求項１９記載の地図情報提供装置。
【請求項２３】
地図情報を記憶する提供側地図情報記憶手段と、
前記提供側地図情報記憶手段に記憶された地図情報を用いて、配信要求情報取得手段により取得された配信要求情報に含まれる現在位置データによって示される出発地から前記配信要求情報取得手段により取得された配信要求情報に含まれる目的地データによって示される目的地に至るのに好適な経路を探索する経路探索手段とを備え、
配信道路選択手段は、配信道路記憶手段に記憶されている道路から、前記経路探索手段によて探索された経路の周辺にある道路を選択する
ことを特徴とする請求項１９記載の地図情報提供装置。
【請求項２４】
配信道路選択手段により選択された道路の一覧を表す配信道路リストを外部に提供する配信道路リスト提供手段
を備えたことを特徴とする請求項１９記載の地図情報提供装置。
【請求項２５】
配信道路選択手段により選択された道路が含まれるエリアの一覧を表す配信エリアリストを外部に提供する配信エリアリスト提供手段
を備えたことを特徴とする請求項１９記載の地図情報提供装置。
【請求項２６】
地図情報提供装置と車載情報端末とから成る地図情報提供システムであって、
前記地図情報提供装置は、
前記車載情報端末から送信されてきた現在位置を表す現在位置データ、所望の道路が含まれるエリアを表すエリアデータまたは所望の範囲を示すために指定する道路を表す道路指定データのいずれかを含む配信要求情報を取得する配信要求情報取得手段と、
新設された道路を表す座標点列データを記憶する配信道路記憶手段と、
前記配信道路記憶手段に記憶されている座標点列データによって表される道路を、前記配信要求情報取得手段で取得された配信要求情報に従って、現在位置データによって示される位置の周辺の道路、エリアデータによって示されるエリアに含まれる道路または道路指定データによって示される道路の周辺の道路のいずれかを選択し、該選択した道路の座標点列データを取得する配信道路選択手段と、
前記配信道路選択手段により選択された道路の座標点列データを含む配信道路情報を前記車載情報端末へ配信する道路情報配信手段
とを備え、
前記車載情報端末は、
地図情報を記憶する地図情報記憶手段と、
地理的位置を示す座標点の並びから成る座標点列データを含む配信道路情報を地図情報提供装置から取得する配信情報取得手段と、
前記配信情報取得手段によって取得された配信道路情報に含まれる座標点列データに基づき、前記地図情報記憶手段に記憶されている地図情報によって表される道路網に新たな道路を付加するための道路データを、該地図情報と少なくともその一部を同じフォーマットで生成する道路データ生成手段と、
前記道路データ生成手段で生成された道路データと前記地図情報記憶手段に記憶されている地図情報とから新たな地図情報を生成する地図情報更新手段
とを備えたことを特徴とする地図情報提供システム。
【手続補正２】
【補正対象書類名】明細書
【補正対象項目名】０００８
【補正方法】変更
【補正の内容】
【０００８】
この発明に係る車載情報端末は、上記課題を解決するために、地図情報を記憶する地図情報記憶手段と、地理的位置を示す座標点の並びから成る座標点列データを含む配信道路情報を外部から取得する配信情報取得手段と、配信情報取得手段によって取得された配信道路情報を記憶する配信道路情報記憶手段と、配信情報取得手段によって取得された配信道路情報に含まれる座標点列データに基づき、地図情報記憶手段に記憶されている地図情報によって表される道路網に新たな道路を付加するための道路データを、該地図情報と少なくともその一部を同じフォーマットで生成する道路データ生成手段と、道路データ生成手段で生成された道路データと地図情報記憶手段に記憶されている地図情報とから新たな地図情報を生成する地図情報更新手段と、道路データ生成手段によって生成された道路データを記憶する道路データ記憶手段と、配信情報取得手段によって取得された配信道路情報によって示される道路が、地図情報記憶手段に記憶されていない場合に、該道路は未登録であると判定し、記憶されている場合に該道路は登録されていると判定する登録判定手段と、配信情報取得手段によって取得された配信道路情報によって示される道路を走行したか否かを判定する走行判定手段とを備え、道路データ生成手段によって道路データが生成された場合に、配信道路情報記憶手段に記憶された配信道路情報から該生成された道路データに対応する配信道路情報が削除されるようにしたものである。
【国際調査報告】
2008044373.tif 000020
2008044373.tif 000021
2008044373.tif 000022
2008044373.tif 000023